(57)【要約】【課題】場面の露光範囲で改良された感度と寛容度を有する感光性写真要素を提供すること。【解決手段】一方の面に感光性ハロゲン化銀乳剤層を有し、反対側の面にマイクロレンズアレイを有する支持体を含んでなる感光性写真要素。【選択図】　　　図４
2004029797.tif 000002
【特許請求の範囲】
【請求項１】
画像捕捉、その後機械読み取りして、単一のパースペクティブ二次元カラー画像を作るのに適した感光性写真要素であって、該要素は次の両面支持体を含んでなる。
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する画像の単一のパースペクティブの画像光を該乳剤層ユニットのより小さな領域上に集中させるに十分な大きさおよび位置を有する収束性のマイクロレンズアレイを有している。
【請求項２】
マイクロレンズを構成する材料が、マイクロレンズの形状が写真処理によって変化されないように選ばれる請求項１記載の要素。
【請求項３】
該支持体の面積に対する該マイクロレンズの投影面積の比が０．３よりも大きく且つ０．９５よりも小さい請求項１または２記載の要素。
【請求項４】
画像捕捉、その後の機械読み取りに適した感光性写真要素であって、該要素は次の両面支持体を含んでなる。
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する、カメラの焦点が合わされた画像光を乳剤層ユニットのより小さな領域上に集中させるに十分な大きさおよび位置を有する完全なまたは部分的な球形状を有するレンズを含むマイクロレンズアレイを有している。
【請求項５】
該支持体の面積に対する該マイクロレンズの投影面積の比が０．３よりも大きく且つ０．９５よりも小さい請求項４記載の要素。
【請求項６】
カメラと、画像捕捉の後機械読み取りして、単一のパースペクティブ二次元カラー画像を作るのに適した感光性写真要素との組み合わせ体であって、
（Ａ）該カメラは、単一のパースペクティブ画像を捕捉するためのレンズ系を有しており、
（Ｂ）該要素は、次の両面支持体を含んでなる。
（ａ）該支持体の一方の側に配置された感応性ハロゲン化銀乳剤層ユニットを有しており、そして
（ｂ）該支持体の反対の側に配置された、マイクロレンズの一つの領域に入射する該レンズ系からの画像光を該乳剤層ユニットのより小さな領域上に集中させるに十分な大きさおよび位置を有する収束性のマイクロレンズアレイを有している。
【発明の詳細な説明】
【０００１】
【発明の属する技術分野】
本発明は、画像光を集束させるためにその要素の支持体側面にマイクロレンズアレイを備え、それによって画像捕捉に利用できる周囲光の範囲を増加させたカラーフィルムを用いるハロゲン化銀画像形成要素、組み合わせ体、およびプロセスに関する。マイクロレンズは、広範囲の低および高照度条件下で場面情報を記録するために、混和されたハロゲン化銀乳剤と関連して動作する。有用な画像が記録された場面情報の抽出によって形成される。
【０００２】
【従来の技術】
伝統的な写真において、感光性要素を場面からの光に制御可能な状態で曝すことにより画像を記録することはよく知られている。典型的には、このような感光性要素は、例えばフィルムのような柔軟性の基材および／または例えばガラス板のような非柔軟性の基材によって支持された１またはそれ以上の感光性層を含んでなる。画像形成薬剤に適した生成物とともに１またはそれ以上の感光性ハロゲン化銀乳剤を有している感光性層は、場面からの光によって与えられるエネルギーに反応する。この反応の程度は、露光中に要素の単位面積当たり受け入れられる光の量の関数である。この反応の程度は、少ない光に曝される領域よりも露光中により多くの光に曝される要素の領域の方が大きくなる。従って、場面からの光が感光要素に集束されると、場面からの光のレベルの相違が層中の反応の程度の相違として捕捉される。現像段階の後、層中の反応の程度における相違が異なった濃度を持った画像範囲として現れる。これらの濃度が原場面の輝度を持った画像を形成する。
【０００３】
場面からの周囲光に曝されたときに、非直線的な応答をすることはハロゲン化銀乳剤の特性である。この点に関して、感光性要素は、露光の異なったレベルが異なった濃度の形成を可能ならしめるように、混和された乳剤と関連する薬剤とが反応し始める最小露光量を定義する低い方の応答限界を有する。この低い方の限界は、結局は、個々のハロゲン化銀乳剤粒子の量子効率に関係する。一般には、低い方の応答限界以下のレベルで光に曝された感光性要素の全ての部分は、感光性要素が現像されると共通の外観を示す。
【０００４】
更に、感光性要素はまた、露光の異なったレベルが異なった濃度の形成を可能ならしめるように、乳剤および関連する薬剤がそれ以下で反応する露光レベルを定義する高い方の応答限界を有する。一般には、高い方の応答限界以上のレベルで露光された要素の全ての部分も、現像された後、共通の外観を示す。
【０００５】
このように、要素は有効な露光範囲を確定する低い方の応答限界と高い方の応答限界の両方を持つと言われている。その範囲内で要素は、区別できるコントラストの相違を持ったコントラストパターンを記録することによって、露光量レベルの相違に反応することができる。これらの低い方および高い方の限界と関係づけられた露光量レベルが要素の露光寛容度を決める。従って、画像の外観を最適化するためには、遭遇される露光量レベルの範囲が要素の寛容度または有効な範囲内であるように露光量を調節することが一般的に有用である。
【０００６】
多くの消費者および写真家が広範囲の撮影条件下で画像捕捉可能な感光性要素、カメラ装置、および撮影方法を利用したがることは理解されるであろう。この目的を満たすための一つの方法は広い寛容度を持った感光性要素を提供することである。けれども、非常に広い寛容度の感光性要素は、個々の混和されたハロゲン化銀粒子の光応答性によって基本的に制限される。従って、場面の輝度特性を調節することによって感光性要素の低い方および高い方の応答限界を効果的に広げさせるカメラ装置および撮影方法を提供することが一般的である。例えば、暗い場面に補助照明を準備することによって、感光性要素の低い方の応答限界を効果的に広げることが知られている。
【０００７】
露光を可能にするように、感光性要素が利用できる場面からの光量を増加させるよう設計された撮影用レンズシステムを用いることによって補助照明を用いずに感光性要素に作用する光量を増加させることもまた知られている。けれども、かなりな量の光を通過させるレンズは、本来、カメラ装置の被写界深度を減少させる。このように、この解決法は、固定焦点カメラによるピクトリアル画像形成には、場面を適当に焦点合わせできないので、一般に好ましくない。この解決方法は、また、レンズシステムが高価で、設計、取り付けおよび維持が困難な可変焦点カメラにも好ましいものではない。
【０００８】
露光時間と露光中感光性要素に当たる場面からの光量との間に直接の結びつきがあることもまた理解されるであろう。従って、露光中感光性要素に作用する光量を増加させるために当該技術分野で知られたもう一つの方法は、より長い時間開いているシャッター手段を用いて露光時間を増加させることである。けれども、これは上限露光限界を低下させる。更に、増加されたシャッターの開口時間は、場面の構成を変化させ得るに十分な長い時間、シャッターを開いたままにしておくかも知れない。これはボケ画像になってしまう。従って、シャッター開口時間を制限する要求がある。
【０００９】
従って、必要とされるものはやはり、動作速度適正シャッター時間で、特に固定されたシャッター時間を有するカメラで、画像捕捉を可能にする複雑でなく安価なカメラ装置と撮影方法である。
【００１０】
露光中に感光性要素に作用する光量を増加させるもう一つの方法は、場面からの光を集める伝統的なの撮影用レンズシステムを使用し、そして例えばフィルムに近接して置かれた直線状レンチキュラーレンズアレイのようなマイクロレンズのアレイ上にこの場面からの光を投射することである。この例は、クレティーン（Ｃｈｒｅｔｉｅｎ）の米国特許第１，８３８，１７３号明細書に示されている。各々のマイクロレンズは画面からの光の一部をフィルムの関連領域に集める。この様に光を集めることによって、感光性要素の各集中を受ける露光領域に入射する光量は、フィルムの下限応答限界以上のレベルまで増加する。これは、集中を受けた露光領域の濃度のコントラストパターンによって形成された画像を与える。
【００１１】
この方法で形成された画像は分割されており、集中を受けた露光領域は場面の濃縮された画像を形成し、感光性要素の残りの部分は濃縮された画像の中で露光されていない人工のパターンを形成する。このような画像の通常なされるプリントにおいて、このパターンは好ましくない低コントラストで新聞印刷のような中間調の外観である。このように、従来のマイクロレンズまたはレンチキュラー補助型低光写真法は、消費者やプロの写真家によって象徴されるような質の高い市場での使用には不適であった。
【００１２】
けれども、マイクロレンズアレイ、特にレンチキュラーアレイは写真法において他の用途を見つけた。例えば、カラー写真法の初期において、直線状レンチキュラー画像捕捉を、カラースペクトルを分割するための手段としてのカラーフィルターと組み合わせて用いて、カラー写真法に白黒ハロゲン化銀画像形成システムの使用を可能にした。この技法は、米国特許第２，１９１，０３８号明細書に記載されているような初期のカラー映画映写機システムに商業的に使用された。１９４０年代に、インスタント写真の中で白黒感光性要素を用いて直接見るためのカラー画像を捕捉するためにレンチキュラースクリーンを用いることが提案された（米国特許第２，９２２，１０３号明細書）。１９７０年代に、米国特許第４，２７２，１８５号明細書は、増強されたコントラスト特性を有する目で見ることができる画像を創造するためにレンチキュラーアレイを使用する改良を開示した。露光されない領域の大きさを最小化することによって、ラインパターンはほとんど見えなくなり、従って不快さは減少した。また１９７０年代に、動くレンチキュラースクリーンを通して感光性要素を露光することが提案された（米国特許第３，９５４，３３４号明細書）。最後に、１９９０年代に、３つのカラー層とハレーション層とを有する直線状レンチキュラー畝状支持体が３−Ｄ画像表示材料として使用された。これらの直線状レンチキュラーアレイは、複式レンズカメラに捕捉される一つの場面の複数の見え方から交互配置のプリント画像を形成するために用いられた。交互配置の画像は三次元の外観を与える。この技法の実例がロー・エト・アル（Ｌｏ　ｅｔ　ａｌ）の米国特許第５，４６４，１２８号明細書およびイプ（Ｉｐ）の米国特許第５，７４４，２９１号明細書に開示されている。これらの開示は、直接観察に適したたくさんの場面のパースペクティブの捕捉から３−Ｄ画像の形成に適合する方法、要素および装置に関することが認識される。それらは手持ちカメラでの使用に適したシャッター時間による撮影を可能にしない。
【００１３】
このように、マイクロレンズ補助型写真法は、色々な用途を見つけ出したが、低レベルの場面明るさで商業的に受け入れられる画像の捕捉を可能にする感光性要素の下限応答限界を効果的に広げるという元々の約束をなお果たさなければならない。従って、必要とされるものは、感光性要素にレンチキュラー画像を捕捉し、捕捉された感光性要素の画像を用いて商業的に受け入れられる印刷または他の出力を形成するための方法および装置である。
【００１４】
感光性要素の上限応答限界以上の画像形成条件下で画像を捕捉することが有効である場合もあり得る。このような条件は、デーライト、雪に覆われた野原および海岸などの状況下で捕捉される明るい場面で起こり得る。一般には、カメラは絞り制御、シャッター時間制御およびフィルターシステムを用いて、感光性要素に面する光が感光性要素の上限応答限界以内の強度を有するように場面からの光の強度を減少させる。けれども、これらのシステムはカメラの設計にかなりの複雑さと費用を追加する場合がある。更に、前述したような下限応答限界を改良するために更に広げた絞りを有するレンズを使用するという手段は、同時にさらに多くの光を通過させて上限応答限界での露光の質を低下させる。従ってまた、必要とされるものは、感光性要素の寛容度よりも大きな場面の明度レベルの範囲にわたって画像を捕捉するための簡素で低コストのカメラ装置であり、撮影方法である。
【００１５】
【特許文献１】
米国特許第９９２，１５１号明細書
【特許文献２】
米国特許第１，８３８，１７３号明細書
【特許文献３】
米国特許第２，１４３，７６２号明細書
【特許文献４】
米国特許第２，１９１，０３８号明細書
【特許文献５】
米国特許第４，２７２，１８６号明細書
【特許文献６】
米国特許第５，７４４，２９１号明細書
【００１６】
【発明が解決しようとする課題】
場面の露光範囲で改良された感度と寛容度を有する写真要素を提供することが本発明の解決されるべき課題である。
【００１７】
【課題を解決するための手段】
本発明は、画像捕捉、その後機械読み取りして、単一のパースペクティブ二次元カラー画像を作るのに適した感光性写真要素であって、該要素は次の両面支持体を含んでなる。
【００１８】
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する画像の単一のパースペクティブの画像光を該乳剤層ユニットのより小さな領域上に集中させるに十分な大きさおよび位置を有する収束性のマイクロレンズアレイを有している。
【００１９】
本発明は、また、カメラ組み合せ体と画像形成方法を提供する。本発明の各態様は改良された感度および場面の露光範囲の寛容度を提供する。
【００２０】
【発明の実施の形態】
本発明の目的は、低光条件下で画像を提供するのに有用な高感度ハロゲン化銀要素を提供することである。更に、背景輻射線に対して低い感受性を有し、改良された保存性を有し、かつ、多様な照明条件下で画像を記録できる高感度ハロゲン化銀要素を提供することも本発明の目的である。広い露光寛容度を有するハロゲン化銀要素を提供することも本発明のもう一つの目的である。
【００２１】
本発明の各目的は、上記したように、画像捕捉、その後機械読み取りして単一のパースペクティブ二次元カラー画像を作るのに適した感光性写真要素によって満たされる。
【００２２】
場面情報は、露光経路にマイクロレンズを挿入することによって撮影段階中に、感光性物質上に空間的に圧縮されかつコード化された形でパターンとして像様に露光される。マイクロレンズは拡張された露光条件下で場面情報を記録するためにハロゲン化銀と共同で作動する。マイクロレンズは、より広い露光範囲を有する画面からの画像情報を捕捉するために、固定された露光範囲を有するフィルム上に、場面からの光の第一の露光範囲と第二の露光範囲を記録するように、場面からの光を分割することによって、写真フィルムの有効な画像捕捉寛容度を広げる。マイクロレンズは第一の範囲の露光を効果的に高め、第二の露光を妨げる。像様露光された材料は、現像段階中に現像されて、分割された形で真の画像を形成する。有用な画像はスキャニングによる場面情報の抽出およびデジタル再構成によって形成される。
【００２３】
もう一つの有用な読み出し経路では、真の画像はマイクロレンズアレイを通しての読み取りによって再構成される。圧縮されたパターンが本当の画像を再形成する面を調整するために、適当なフィールドレンズを用いることができる。フィールドレンズは撮影段階と読み取り段階との光学的適合を可能にする。従って、光学的に圧縮されかつコード化された情報は、固体素子センサーもしくは感光性材料上に直接画像形成され得るかまたは直接目に見え得る形で原場面内容を適当な好都合の画像形成面に再現するように、光学的に再構築される。
【００２４】
マイクロレンズアレイは多数の結合されたマイクロレンズから形成される。個々のマイクロレンズは、光を収束または集中させるように形作られた収束レンズである。このように、それらはフィルム基板から凸形の突出部を形成している。個々の突出物は、完全なまたは不完全な球体の一部として形作られている。従って、マイクロレンズは、球体部分レンズであってもよいし、非球体部分レンズであってもよいし、またはそれら両タイプが同時に用いられることもできる。球体部分マイクロレンズは、球体の一部の形状と横断面とを有している。非球体部分マイクロレンズは、平らにされたまたは引き伸ばされた球体の形状と横断面とを有する。レンズは、１〜１０００μｍの直径を有する円形または円形に近い突出部を有するという意味でマイクロである。円筒形部分マイクロレンズは、円筒の一部の形状と横断面とを有する。非円筒形部分マイクロレンズは、平らにされたまたは引き伸ばされた円筒形の形状と横断面とを有する。各マイクロレンズは、焦点距離もしくは口径が同じであってもよいし、または焦点距離もしくは口径が変わっていてもよい。複数の焦点距離範囲を与えることは、写真要素の異なった各層ユニットに微細な焦点を可能ならしめ、かつ増加された要素露光寛容度を可能にする。同様に、複数の口径範囲を与えることは増加された露光寛容度を可能にする。各マイクロレンズは、幾何学的に整然とした隊形で配列されてもよいし、または幾何学的には非整然とした隊列で配列されていてもよい。マイクロレンズは、支持体の全表面に亘っていてもよいし、または要素表面の一部のみをカバーしてもよく、同様に増加された露光寛容度を可能にする。マイクロレンズは、永久的で写真化学処理の各工程に耐えてもよいし、または一時的なもので写真化学処理中に効果を失ってもよい。好ましい態様とは言えないが、より小さな利点とはいえ、寛容度を高めることを可能にし、または写真仕上げ中に取り外し可能にする円筒形のマイクロレンズもまた使用することができる。
【００２５】
画像撮影システムにおけるマイクロレンズアレイの使用は、記録された場面情報のデジタルまたは工学的画像再構築と組み合わされた場合、標準的な写真技法の範囲を超えて典型的に低光条件下での撮影を可能にする。
【００２６】
この方法は、系の被写界深度がカメラレンズのＦナンバーによって制御される一方、有効な系感度はマイクロレンズアレイのＦナンバーによって制御されるので、例えば使い切りカメラのような固定焦点カメラに特別な適用がある。この方法は、「低感度」カメラまたは大きな被写界深度を有するレンズ系において、この方法を用いなければ低感度乳剤とみなされるものを用いて超高感度写真技法を達成可能にする。加えて、大きな被写界深度を有する低感度カメラ系は大きな焦点深度をもまた有し、より小さな被写界深度および焦点深度特性を有する高感度カメラレンズ系よりもゆるい許容度に応じて経済的に製造されるので、カメラ製造性が改良される。更に、安定で低感受性のハロゲン化銀乳剤粒子を有利に使用できるので、ハロゲン化銀ベースの画像の保存性および輻射線不感受性が改良される。本発明の要素は更に広範囲の照明レベル下で画像を記録できる。
【００２７】
本発明は、広い露光範囲を有する場面からの画像情報を捕捉するために、場面からの光を分割して、固定された露光範囲を有するフィルム上に場面からの光の第一の露光範囲と第二の露光範囲とを記録することによって、写真フィルムの有効な画像捕捉寛容度を広げる写真システムおよび写真法を提供する。本発明は更にフィルムに記録された画像形成情報から許容できる出力画像を再生する方法を提供する。
【００２８】
露光時に、光は集中される部分と集中されない部分のパターンに分割される。光の集中はレンズとして作用するビーズによってなされる。場面からの光が第一の露光範囲内にある場合、マイクロレンズの幾何学的特性に従って、光の集中された部分はフィルムの第一の領域を露光して、現像後フィルムにドットのパターンを形成する。集中されない部分はフィルムの第二の領域を露光して、その結果フィルムは第二の範囲内にある露光からの画像形成情報を記録することができ、第一の露光範囲と第二の露光範囲は合わせてフィルムのあらかじめ決められた範囲よりも大きい。その後、フィルムは写真処理される。当該技術分野で知られた如何なる写真処理技術も使用することができる。写真処理は任意選択の脱銀工程を有する現像工程を含むことができる。写真処理は、写真処理薬品や写真処理を可能にすることが当該技術分野で知られた薬剤とフィルムとを接触させることによってもよい。写真処理は、写真処理薬品もしくはｐＨ調節薬剤またはその両者の水溶液とフィルムとを接触させることによってもよい。別法として、フィルムは、加熱することによって、もしくは写真処理可能な薬剤との接触と加熱との組み合わせによって、写真処理される当該技術分野で知られたフォトサーモグラフフィルムであってもよい。写真処理後、フィルムに記録された画像が、高露光によって形成された画像、または低露光によって形成された画像、または低露光と高露光との組み合わせによって形成された画像を含むかどうかについて、決定がなされる。フィルムは走査し、走査された画像を処理し、高露光領域または低露光領域のどちらか又はその両者からの画像データに基づいて画像を再生する。出力画像は光学的にさらに意図する用途に向けて改良され、処理される。
【００２９】
場面からの光を分割してフィルム上に画像を形成するに有用なカメラシステムは、フィルム上に場面からの光を集中させる撮影レンズ系を含んでおり、撮影レンズ系とフィルムとの間にマイクロレンズアレイが挿入されている。
【００３０】
マイクロレンズアレイ中の各レンズは、撮影レンズを通過する光の一部を受けて、この光を圧縮された部分と圧縮されてない部分に分割する。集中は、マイクロレンズアレイの各レンズがあらかじめ決められた断面を有するが故に達成される。画像からの光は、このあらかじめ決められた断面に当たり、レンズに入射した光の部分は集中させられる。この光の集中された部分は、レンズよりも小さな横断面を有するフィルムの第一の露光領域に向けられる。これは第一の露光領域のフィルム上の有効露光レベルを増加させて、乳剤の反応をさせ、画像を形成させる。しかし、マイクロレンズに入射する光の幾らかは、即ち、レンズによってあまり集中されない光もしくは分散される光は第一の露光領域上へ集中されない。代わりに、光のこの集中されない部分は、実質的な集中なしにフィルムに向かって通過し、第二の露光領域に入射して、そこで残りの周辺の画像を形成せしめる。この光の集中されない部分は、同じ露光中、マイクロレンズアレイが場面とフィルムとの間に挿入されていない場合にフィルム上に入射する光の量よりも少ない。このように、より多くの光の量が、露光中、フィルム上に画像が形成されるために必ず利用されるように、マイクロレンズアレイは、第二の領域に入射する場面からの光を効果的に濾過する。従って、マイクロレンズアレイは、第二の露光範囲内の光を遮蔽して、フィルム上の第二の画像範囲によって指示される範囲にわたって区別可能な画像を作るのに適した第二の露光を作り出す。第二の露光範囲の上限および下限が実際のフィルム寛容度内に入っており、従ってフィルム上に記録され得ることは理解されよう。これはフィルムの上限露光限界を効果的に広げる。この考察は、人間の目に見える場面を捕捉しようとするハロゲン化銀写真に向けられた特別な態様に関して成されているが、本発明が、拡張された場面輝度範囲および人間の目には見えない分光域を捕捉するために容易に応用することができることは、さらに理解される。そして、感光性材料は、必要な画像形成特性を有する、当該技術分野で知られた如何なる感光性材料であってもよいことも理解される。得られる寛容度の有効な増加は少なくとも０．１５ｌｏｇＥであり、好ましくは少なくとも０．３ｌｏｇＥ、さらに好ましくは少なくとも０．６ｌｏｇＥ、最も好ましくは少なくとも０．９ｌｏｇＥである。
【００３１】
有用な画像形成システムにおいて、カメラレンズとマイクロレンズアレイとは共同して感光性材料上に場面を像形成する。円形の突起状マイクロレンズと共にカメラレンズによって集められた更に集中した光の、光の集中もしくは有効な写真感度の増大は、二つのレンズのＦナンバー比の二乗である。このような系における感度増加（相対露光の対数）は、感度増加＝２×ｌｏｇ（カメラレンズのＦナンバー／マイクロレンズのＦナンバー）として決定される。円筒形マイクロレンズの光集中もしくは有効な写真感度増加は、それらが一つの方向のみに光を集中させるので、このような改良の単なる平方根で与えられる。マイクロレンズアレイによる光の集中は、系感度増加を可能にし、感光性材料上にレンズパターンを形成する。
【００３２】
カメラの寸法およびカメラレンズの詳細な特性は、像距離即ちカメラ焦点距離に対する露光瞳を指示する。カメラ画像がマイクロレンズのところに形成される。マイクロレンズの特性がマイクロレンズの焦点距離を指示し、マイクロレンズ画像が感光性層のところに形成される。カメラレンズのＦナンバーは、カメラの焦点深度と被写界深度を制御し、マイクロレンズのＦナンバーはカメラの有効絞りを制御する。カメラレンズにおいて絞り込まれたＦナンバーを用いることによって、広い焦点深度と被写界深度と共に優れた鮮明度が得られる。マイクロレンズにおいて広げられたＦナンバーを用いることによって、一般には「低感度」と考えられている乳剤によって高い系感度が得られる。この特別高い感度は、一般的に「高感度」乳剤に伴う熱および輻射線に対する不安定性なしに、利用可能な光での撮影を可能ならしめる。従って、カメラレンズおよびマイクロレンズのＦナンバーの有効な組み合わせは、系感度の増加を可能にする組み合わせであろう。０．１５ｌｏｇＥ、即ち１／２絞りの系感度の増加が有用であり、少なくとも０．２ｌｏｇＥの系感度の増加が好ましく、０．３ｌｏｇＥが更に好ましく、０．５ｌｏｇＥが一層好ましく、０．８ｌｏｇＥまたはそれ以上が特に好ましい。意図した目的に適した被写界深度を有するカメラレンズと共に感度増加を可能ならしめるマイクロレンズの如何なるＦナンバーも有利に使用することができるが、１．５〜１６のマイクロレンズＦナンバーが一般的には有用であり、ｆ／２〜ｆ／７の範囲のマイクロレンズＦナンバーが好ましく、ｆ／３〜ｆ／６のマイクロレンズＦナンバーが更に好ましい。
【００３３】
マイクロレンズの有用ないずれの表面被覆範囲もしくは充填係数も用いることができるが、写真要素即ちフィルムの投影面積に対するマイクロレンズの投影面積の比は少なくとも２０％であることができ、好ましくは少なくとも３０％であり、更に好ましくは少なくとも５０％であり、一層好ましくは少なくとも７０％であり、そして８０％もしくは９０％までまたは最密限界であってもよい。表面被覆範囲の正確な程度を、実用的な写真の粒状性および鮮鋭度を維持しながら、露光寛容度を増加できるように調節することができる。この表面被覆範囲を調節することが、上述の第一および第二露光範囲と感光性材料の本来の露光範囲に対応した乱されていない範囲との間に光を分ける方法となることができることは理解されよう。従って、充填係数は９５％より小さいことが好ましく、９０％より小さいことが更に好ましく、８５％より小さいことが一層好ましく、７５％より小さいことがより一層好ましい。
【００３４】
所望の結果を達成するために画像フレーム当り任意有用な数のマイクロレンズを用いることができるが、特定の構成で用いられる実際の数はその構成に拠ることは理解されよう。例えば、所望のマイクロレンズ焦点距離が写真材料の支持体側に一体式マイクロレンズを形成することによって固定され、そして、マイクロレンズＦナンバーがこの組み合わせたレンズ系に対する所望の系感度増大によって固定される場合、マイクロレンズの口径またはピッチは１０〜１００μｍとなることができる。だから、１３５フォーマットフレーム（おおよそ２４ｍｍ×３６ｍｍの大きさ）は、完全表面被覆で８万６千〜８６０万個のマイクロレンズを有することができる。より短い焦点距離を有する乳剤側のマイクロレンズは、３〜３０μｍの有効口径またはピッチを有することができ、それは１３５フォーマットフレーム当り、完全表面被覆でおおよそ９６万〜９６００万個のマイクロレンズを意味する。焦点距離においてより大きな自由度を有するカメラ搭載マイクロレンズは口径またはピッチを５００μｍまたはそれ以上まで広げることができる。
【００３５】
図１は、撮影用レンズ１０１、感光性要素１０３および挿入されたマイクロレンズアレイ１０５を有するカメラを例示する。例えばシャッターおよびレリーズ、絞りとして知られてもいる固定または可変の開口絞り、フィルムリールおよび前進機構、ファインダー等の他のカメラ要素は平明にするために省かれている。カメラの中での画像様の露光において、挿入されたマイクロレンズアレイは感光性要素の特定の部分に入る光を集中させるよう作用して、カメラの系感度を効果的に増加させ、感光性要素上に点または線の露光パターンを作る。カメラレンズおよびマイクロレンズアレイは共同して感光性材料上に場面を画像形成する。球面もしくは非球面の一部であるマイクロレンズ１０７によって光を集中することによる光の集中または有効な写真感度の増加は二つのレンズのＦナンバー比の二乗である。あまり好ましくはない円筒形の一部であるマイクロレンズは、最もよくても光を一つの方向にのみ集中させるので、このような改良の単に平方根を与える。好ましいマイクロレンズアレイによる光の集中は系感度の増加を可能にし、感光性材料１０９の上にドットパターンを形成する。この図は、写真材料の支持体の一部として一体型マイクロレンズアレイを示している。この形態はアセテート支持体中にマイクロレンズを埋め込むことによって作ることができる。他の形態は一般的な写真材料の支持体側にマイクロレンズを適用することを含む。カメラの寸法とカメラレンズの詳細な特性が画像距離に対して露光瞳を指示する。この図では露光瞳位置もしくは絞り位置は概ねカメラレンズと一致する。カメラレンズのＦナンバーはカメラの焦点深度と被写界深度を制御する一方、マイクロレンズのＦナンバーはカメラの有効な絞りを制御する。カメラレンズにおいて絞り込まれたＦナンバーを用いることによって、広い焦点深度と被写界深度と共に優れた鮮明度が得られる。マイクロレンズにおいて広げられたＦナンバーを用いることによって、一般には「低感度」と考えられている乳剤によって高い系感度が得られる。この特別高い感度は、一般的に「高感度」乳剤に伴う熱および輻射線に対する不安定性なしに、利用可能な光での撮影を可能ならしめる。
【００３６】
図２は、球形部マイクロレンズ２０３を有する写真要素支持体２０１の例示である。レンズは、実際にマイクロレンズを形成する突出部分の球形特性を明らかにするために異なったハッチングで示されている。マイクロレンズは、微構造技術において知られた如何なる物質で形成されてもよい。これらのレンズは、例えば製造中に支持体物質中へ直接エンボスされることによって支持体と一体になっていてもよいし、または、支持体に積層された異なった層に一体化されていてもよい。マイクロレンズが異なった層の一部である場合、その層は、構造および機能が保持されたままで写真化学処理を耐える程十分な耐久性となることができるし、または、その構造および機能を変える様式で写真化学処理中に変われることができる。キャストもしくはエンボスされた硬化されたゼラチン層または高Ｔｇもしくは写真化学処理中に溶けないポリマー層が永久的なマイクロレンズ構造の例を提供する。一方、キャストもしくはエンボスされた非硬化のゼラチン層または低Ｔｇもしくは写真化学処理中に溶けるポリマー層は写真処理中に変化し得るマイクロレンズ構造の例を提供する。図２は、更に、非球形部マイクロレンズ２０７を有する写真要素支持体２０５を例示し、異なった非球形マイクロレンズ２１１を有するもう一つの支持体２０９を例示する。レンズは、実際にマイクロレンズを形成する突出部分の球形特性を明らかにするために異なったハッチングで示されている。非球形のマイクロレンズは、このようなレンズの半径が可変であるから、支持体の厚みにほんど無関係にレンズの焦点距離と口径を制御できるという点で特に有用である。支持体厚み、マイクロレンズ開口、マイクロレンズ半径およびマイクロレンズ焦点距離間の厳密な関係は、歴史的に知られたレンチキュラー写真法における主な欠点である。
【００３７】
図３は、マイクロレンズのいくつかの有用なパターンの正面図の例示である。六角形の最密配列パターンが３０１として示されている。規則正方形最密配列パターンが３０３として示されている。オフセット正方形最密配列パターンが３０５として示されている。異なった口径もしくは焦点距離の領域を有する最密配列正方形パターンが３０７として示されている。ランダム非最密配列パターンが３０９として示されている。異なった口径もしくは焦点距離を有する、ランダム非最密配列が３１１として示されている。これらのパターンの如何なるものも、下層の写真層に広げられた寛容度を与えるために非球形マイクロレンズと組み合わされてもよいことは理解されよう。更に、どのマイクロレンズパターンも、拡張写真寛容度を可能ならしめるために、非最密様式に適用することができる。マイクロレンズの如何なる表面被覆範囲も用いることができるが、写真要素の投影面積に対するマイクロレンズの投影面積の比は少なくとも２０％であることができ、好ましくは少なくとも３０％であり、更に好ましくは少なくとも５０％であり、一層好ましくは少なくとも７０％であり、そして８０％もしくは９０％までまたは最密限界であってもよい。表面被覆範囲の正確な程度を、実用的な写真の粒状性および鮮鋭度を維持しながら、露光寛容度の様々なレベルを可能ならしめるように調節することができる。
【００３８】
図４は、感光性ハロゲン化銀層と反対側の支持体面に配列されたマイクロレンズを有する感光性要素の更なる詳細図である。ここで、写真支持体４０１は、支持体の反対側の感光性層に光を集中させるように作用するマイクロレンズ４０３を支えている。支持体の反対側の面は、中間層４０９および４１３とハレーション防止保護層４１７と共に青感光性色形成ユニット４０７、緑感光性色形成ユニット４１１および赤感光性色形成ユニット４１５を支えている。中間層および補助層（図示されていない）は、当該技術分野でよく知られた色素、安定化剤およびスカベンジャーを更に含有することができる。色形成ユニットは、当該技術分野で知られているように１つまたはそれ以上の層を含んでなることができる。別の態様では、図示されていないが、色形成層は、黒および白記録材料を形成するために、１つまたはそれ以上のオルソまたはパン増感された層によって置き換えろことができる。
【００３９】
図５は、感光性層と反対側の支持体面に形成されたマイクロレンズ５０３を有する感光性要素５０１を更に詳細に図示したものである。ここで、超高感度写真法に有用な層配列は、最高感度青感光性層５０５、最高感度緑感光性層５０９、最高感度赤感光性層５１３、低感度青感光性層５１７、最低感度青感光性層５１９、高感度緑感光性層５２３、低感度緑感光性層５２５、最低感度緑感光性層５２７、高感度赤感光性層５３１、低感度赤感光性層５３３、最高感度赤感光性層５３５、紫外線および光吸収層５３７、保護層５３９および中間層５０７、５１１、５１５、５２１および５２９を有する。中間層、下塗り層および補助層（図示されていない）が当該技術分野でよく知られた色素、安定化剤およびスカベンジャーを更に含有することができる。
【００４０】
マイクロレンズの有用なパラメーターおよび写真要素の感光性層に対するそれらの関係を以下に定義する。
【００４１】
マイクロレンズの半径はマイクロレンズの球形突出部の湾曲部の半径である。非球形マイクロレンズでは、この値はマイクロレンズの表面にわたって変化する。
【００４２】
マイクロレンズの口径はマイクロレンズによって形成された横断面積で、一般には直径として記載される。球形のマイクロレンズでは、この直径は必然的にマイクロレンズ半径の２倍に等しいかそれよりも小さい。非球形マイクロレンズでは、この直径は、そのマイクロレンズが採りうる最も小さい半径の２倍よりも大きくなることができる。異なった口径を有する様々な大きさのマイクロレンズの使用は、感度増大の異なったレベルをミクロスケールで可能ならしめ、従って写真層のために拡張された露光寛容度を可能にする。
【００４３】
マイクロレンズの焦点距離は、マイクロレンズから感光性層までの距離である。マイクロレンズは感光性層に対して支持体の反対側にあるので、これは一般に支持体の厚みにおおよそなるように設定される。マイクロレンズの使用が異なった色記録を高感度ならしめることも理解される。この特徴は、例えば青色光が弱くかつ赤色光が強い薄暗い白熱電灯下の室内のような特にアンバランスな照明状況下では、特に重要となることができる。例えば、白熱電灯環境下での使用を目的とするカメラとフィルムの場合、マイクロレンズは、好ましくは青色感光性層の上に焦点を合わせるように設計することができ、それによって青色光管理においてより大きく増強し、よりよいカラーバランス状況を可能にすることができる。他の色も同様に所望の通りに進めることができる。
【００４４】
マイクロレンズのＦナンバーは、マイクロレンズの口径をその焦点距離で割った値である。
【００４５】
球形マイクロレンズの場合、所望のマイクロレンズの焦点距離を用いて、レンズ式に従って適当なマイクロレンズ半径を定めることができる。マイクロレンズ半径は、マイクロレンズ焦点距離の（ｎ２−ｎ１）／ｎ２倍であり、ここでｎ１はマイクロレンズ外側の物質の屈折率（一般には空気で屈折率は１）であり、ｎ２はマイクロレンズおよび付加された写真材料の屈折率（写真支持体中で用いられるプラスチックおよび写真に有用なゼラチンは一般に１．４〜１．６の屈折率を有する）である。優れた光学的特性は、マイクロレンズを形成するために用いられた材料、写真支持体および感光性層のバインダー屈折率ができるだけ同じである場合に得られる。最低屈折率に対する最高屈折率の比が０．８〜１．２であることが好ましく、更に好ましくは０．９〜１．１であり、一層好ましくは０．９５〜１．０５である。しかし、屈折率における意図的な不一致は光の散乱および反射を促進させることができ、それによって残りの画像形成の程度に影響を与えることができる。
【００４６】
一般的な写真システム構成要素の既知の屈折率に従うと、有用な球形マイクロレンズはマイクロレンズ半径の約３倍のマイクロレンズ焦点距離を有するであろう（（ｎ２−ｎ１）ｎ２≒１／３）。従って、図４および５に示されたように、ロールフィルムでの使用に適した柔軟性のある写真用支持体上に形成され、支持体の感光性層とは反対側の面に設けられたマイクロレンズは、支持体の厚みによって定められた有効な半径を有するであろう。これらの柔軟性のある写真用支持体は厚みが６０μｍと８０μｍの間にある。この関係において、非球形のマイクロレンズは、写真用支持体の他の要求に対してマイクロレンズの口径と焦点距離を調節する際の設計自由度を大きくできることが理解される。
【００４７】
本発明に有用な写真用支持体および感光性層を形成するに有用な材料は当該技術分野では知られている。それらは、当該技術分野で知られた如何なる方法および如何なる組み合わせにも用いることができる。一般に、それらの材料は溶融物に混入され、そして写真用要素の一部を形成するために支持体上の本明細書に記載された層として塗布される。用語「関連する」が用いられる場合、それは、反応性化合物が特定の層中にもしくは特定層と近接して存在し、処理中に、他の構成要素と反応可能であることを意味する。
【００４８】
別に特別な記載がなければ、「基」、「置換された」または「置換基」なる用語の使用は水素以外のいかなる基をも意味する。加えて、この明細書中、置換し得る水素を含んだ化合物または置換基が言及されている場合、当該置換基が意図した有用性に必要な特性を破壊しない限り、無置換形体のみならずここに記載された如何なる置換基または複数の置換基でさらに置換された形体も包含しようとするものである。好ましくは、置換基はハロゲンであってもよいし、炭素、珪素、酸素、窒素、燐、または硫黄原子によって分子の残部に結合されていてもよい。例えば、置換基は、例えば塩素、臭素およびフッ素のようなハロゲン；ニトロ；ヒドロキシル；シアノ；カルボキシル；または、例えばアルキル基のような更に置換され得る各種の基であってもよい。アルキル基の例としては、例えばメチル、トリフルオロメチル、エチル、ｔ−ブチル、３−（２，４−ジ−ｔ−ペンチルフェノキシ）プロピル、シクロヘキシルおよびテトラデシルのような直鎖状もしくは枝分かれ状または環状のアルキル基が挙げられる。更に置換され得る各種の基としては、アルキル基の他に、例えばエチレンおよび２−ブテンのようなアルケニル基；例えばメトキシ、エトキシ、プロポキシ、ブトキシ、２−メトキシエトキシ、ｓｅｃ−ブトキシ、ヘキシルオキシ、２−エチルヘキシルオキシ、テトラデシルオキシ、２−（２，４−ジ−ｔ−ペンチルフェノキシ）エトキシおよび２−ドデシルオキシエトキシのようなアルコキシ基；例えばフェニル、４−ｔ−ブチルフェニル、２，４，６−トリメチルフェニルおよびナフチルのようなアリール基；例えばフェノキシ、２−メチルフェノキシ、α−またはβ−ナフチルオキシおよび４−トリルオキシのようなアリ−ルオキシ基；例えばアセトアミド、ベンズアミド、ブチルアミド、テトラデカンアミド、α−（２，４−ジ−ｔ−フェニル−フェノキシ）アセトアミド、α−（２，４−ジ−ｔ−ペンチルフェノキシ）ブチルアミド、α−（３−ペンタデシルフェノキシ）−ヘキサンアミド、α−（４−ヒドロキシ−３−ｔ−ブチルフェノキシ）−テトラデカンアミド、２−オキソ−ピロリジン−１−イル、２−オキソ−５−テトラデシルピロリン−１−イル、Ｎ−メチルテトラデカンアミド、Ｎ−スクシンイミド、Ｎ−フタルイミド、２，５−ジオキソ−１−オキサゾリジニル、３−ドデシル−２，５−ジオキソ−１−イミダゾリル、Ｎ−アセチル−Ｎ−ドデシルアミノ、エトキシカルボニルアミノ、フェノキシカルボニルアミノ、ベンジルオキシカルボニルアミノ、ヘキサデシルオキシカルボニルアミノ、２，４−ジ−ｔ−ブチルフェノキシカルボニルアミノ、フェニルカルボニルアミノ、２，５−（ジ−ｔ−ペンチルフェニル）カルボニルアミノ、ｐ−ドデシル−フェニルカルボニルアミノ、ｐ−トリルカルボニルアミノ、Ｎ−メチルウレイド、Ｎ，Ｎ−ジメチルウレイド、Ｎ−メチル−Ｎ−ドデシルウレイド、Ｎ−ヘキサデシルウレイド、Ｎ，Ｎ−ジオクタデシルウレイド、Ｎ，Ｎ−ジオクチル−Ｎ’−エチルウレイド、Ｎ−フェニルウレイド、Ｎ，Ｎ−ジフェニルウレイド、Ｎ−フェニル−Ｎ−ｐ−トリルウレイド、Ｎ−（ｍ−ヘキサデシルフェニル）ウレイド、Ｎ，Ｎ−（２，５−ジ−ｔ−ペンチルフェニル）−Ｎ’−エチルウレイドおよびｔ−ブチルカルボンアミドのようなカルボンアミド基；例えばメチルスルホンアミド、ベンゼンスルホンアミド、ｐ−トリルスルホンアミド、ｐ−ドデシルベンゼンスルホンアミド、Ｎ−メチルテトラデシルスルホンアミド、Ｎ，Ｎ−ジプロピル−スルファモイルアミノおよびヘキサデシルスルホンアミドのようなスルホンアミド；例えばＮ−メチルスルファモイル、Ｎ−エチルスルファモイル、Ｎ，Ｎ−ジプロピルスルファモイル、Ｎ−ヘキサデシルスルファモイル、Ｎ，Ｎ−ジメチルスルファモイル、Ｎ−［３−（ドデシルオキシ）プロピル］スルファモイル、Ｎ−［４−（２，４−ジ−ｔ−ペンチルフェノキシ）ブチル］スルファモイル、Ｎ−メチル−Ｎ−テトラデシルスルファモイルおよびＮ−ドデシルスルファモイルのようなスルファモイル基；例えばＮ−メチルカルバモイル、Ｎ，Ｎ−ジブチルカルバモイル、Ｎ−オクタデシルカルバモイル、Ｎ−［４−（２，４−ジ−ｔ−ペンチルフェノキシ）ブチル］カルバモイル、Ｎ−メチル−Ｎ−テトラデシルカルバモイルおよびＮ，Ｎ−ジオクチルカルバモイルのようなカルバモイル基；例えばアセチル、（２，４−ジ−ｔ−アミルフェノキシ）アセチル、フェノキシカルボニル、ｐ−ドデシルオキシフェノキシカルボニル、メトキシカルボニル、ブトキシカルボニル、テトラデシルオキシカルボニル、エトキシカルボニル、ベンジルオキシカルボニル、３−ペンタデシルオキシカルボニルおよびドデシルオキシカルボニルのようなアシル基；例えばメトキシスルホニル、オクチルオキシスルホニル、テトラデシルオキシスルホニル、２−エチルヘキシルオキシスルホニル、フェノキシスルホニル、２，４−ジ−ｔ−ペンチルフェノキシスルホニル、メチルスルホニル、オクチルスルホニル、２−エチルヘキシルスルホニル、ドデシルスルホニル、ヘキサデシルスルホニル、フェニルスルホニル、４−ノニルフェニルスルホニルおよびｐ−トリルスルホニルのようなスルホニル基；例えばドデシルスルホニルオキシおよびヘキサデシルスルホニルオキシのようなスルホニルオキシ基；例えばメチルスルフィニル、オクチルスルフィニル、２−エチルヘキシルスルフィニル、ドデシルスルフィニル、ヘキサデシルスルフィニル、フェニルスルフィニル、４−ノニルフェニルスルフィニルおよびｐ−トリルスルフィニルのようなスルフィニル基；例えばエチルチオ、オクチルチオ、ベンジルチオ、テトラデシルチオ、２−（２，４−ジ−ｔ−ペンチルフェノキシ）エチルチオ、フェニルチオ、２−ブトキシ−５−ｔ−オクチルフェニルチオおよびｐ−トリルチオのようなチオ基；例えばアセチルオキシ、ベンゾイルオキシ、オクタデカノイルオキシ、ｐ−ドデシルアミドベンゾイルオキシ、Ｎ−フェニルカルバモイルオキシ、Ｎ−エチルカルバモイルオキシおよびシクロヘキシルカルボニルオキシのようなアシルオキシ基；例えばフェニルアニリノ、２−クロロアニリノ、ジエチルアミンおよびドデシルアミンのようなアミン；例えば１（Ｎ−フェニルイミド）エチル、Ｎ−スクシンイミドまたは３−ベンジルヒダントイニルのようなイミノ基；例えばジメチルホスフェイトおよびエチルブチルホスフェイトのような燐酸エステル；例えばジエチルホスファイトおよびジヘキシルホスファイトのような亜燐酸エステル；例えば２−フリル、２−チエニル、２−ベンゾイミダゾイリルオキシまたは２−ベンゾチアゾリルのような酸素、窒素、硫黄からなる群から選ばれた少なくとも一つのヘテロ原子と炭素原子とから構成される３〜７員のヘテロ環を有する置換されていてもよいヘテロ環基、ヘテロ環式オキシ基またはヘテロ環式チオ基；例えばトリエチルアンモニウムのような４級アンモニウム基；および例えばトリメチルシリルオキシのようなシリルオキシ基がある。
【００４９】
必要であれば、置換基はそれ自身更に１つまたはそれ以上の記載された置換基でさらに置換されていてもよい。特定の用途に要求される特性を達成するために、特別な置換基が当業者によって選択されてもよく、例えば、疎水性基、可溶化基、保護基、放出または放出性基が含まれる。分子が２つまたはそれ以上の置換基を有する場合、特に断らない限り、置換基はお互いに結合して縮合環を形成してもよい。一般に、上記の基やそれらの置換基は４８個までの炭素原子を、典型的には１〜３６個の炭素原子を、通常は２４個より少ない炭素原子を有する。しかし選択される特定の置換基によってはもっと大きな数も可能である。
【００５０】
各種構成要素の移動を制御するために、カプラー分子中に高分子量疎水性物質またはバラスト基を含有することが好ましいであろう。代表的なバラスト基は置換されたもしくは無置換の炭素数８〜４８のアルキルまたはアリール基を含有する。このような基の代表的な置換基は、一般的には炭素数１〜４２のアルキル、アリール、アルコキシ、アリールオキシ、アルキルチオ、ヒドロキシ、ハロゲン、アルコキシカルボニル、アリールオキシカルボニル、カルボキシ、アシル、アシルオキシ、アミノ、アニリノ、カルボンアミド、カルバモイル、アルキルスルホニル、アリールスルホニル、スルホンアミド、およびスルファモイル基を含む。このような置換基は更に置換されていてもよい。
【００５１】
写真要素は単色要素であってもよいし、多色要素であってもよい。多色要素は、スペクトルの３主領域の各々に感応する画像色素形成ユニットを含んでいる。各ユニットは、スペクトルの所定の範囲に感応する単一の乳剤層または複数の乳剤層を具備する。要素の各層を、画像形成ユニットの各層も含めて、当業界に知られているような各種の順序で配列することができる。別の形式では、スペクトルの３主領域の各々に感応する乳剤を、単一のセグメント化層として配置することができる。
【００５２】
典型的な多色写真要素は、少なくとも１つのシアン色素形成カップラーと関連している少なくとも１つの赤感光性ハロゲン化銀乳剤層を含むシアン色素画像形成ユニット、少なくとも１つのマゼンタ色素形成カップラーと関連している少なくとも１つの緑感光性ハロゲン化銀乳剤層を含むマゼンタ色素画像形成ユニット、および少なくとも１つのイエロー色素形成カップラーと関連している少なくとも１つの青感光性ハロゲン化銀乳剤層を含むイエロー色素画像形成ユニットを含んでなる。他の技術分野で認識されているスペクトル感度と色形成の組み合わせも用いることができる。この要素は、例えばフィルター層、中間層、上塗り層および下塗り層のような付加的層を含んでいてもよい。
【００５３】
必要であれば、本写真用要素は、ケネス・メイソン・パブリケイションズ（Ｋｅｎｎｅｔｈ　Ｍａｓｏｎ　Ｐｕｂｌｉｃａｔｉｏｎｓ，Ｌｔｄ）によって発行されたリサーチ・ディスクロージャー、１９９２年１１月、アイテム３４３９０（Ｒｅｓｅａｒｃｈ　Ｄｉｓｃｌｏｓｕｒｅ，Ｎｏｖｅｍｂｅｒ１９９２，Ｉｔｅｍ３４３９０）、［ダドレイ・アネックス、１２ａノース・ストリート、エムスウァース、ハンプシャーＰ０１０７ＤＱ、英国（Ｄｕｄｌｅｙ　Ａｎｎｅｘ，１２ａＮｏｒｔｈ　Ｓｔｒｅｅｔ，Ｅｍｓｗｏｒｔｈ，ＨａｍｐｓｈｉｒｅＰ０１０７ＤＱ，ＥＮＧＬＡＮＤ）］および１９９４年３月１５日に発行され、日本特許庁で利用できる発明協会公開技報番号１９９４−６０２３に記載されているような適用磁性層と一緒に用いられてもよい。小フォーマットのフィルムの中で本発明材料を用いることが望まれる場合、リサーチ・ディスクロージャー、１９９４年６月、アイテム３６２３０、が好ましい態様を提供する。
【００５４】
本発明の乳剤および要素に使用するための適切な材料についての以下の考察において、上述のように利用可能な、リサーチ・ディスクロージャー、１９９６年９月、アイテム３８９５７（本明細書で、用語「リサーチ・ディスクロージャー」という）を参照する。以下引用するセクションはリサーチ・ディスクロージャーのセクションである。
【００５５】
特別に準備されたものを除いて、本発明の中で用いられるハロゲン化銀含有要素は、その要素に準備された処理説明書のタイプ（即ち、カラーネガ、反転、または直接ポジ処理）によって指示されたようにネガ型またはポジ型であることができる。適切な乳剤およびそれらの製造方法、ならびに化学および分光増感の方法はセクションＩ〜Ｖに記載されている。例えばＵＶ色素、蛍光増白剤、カブリ防止剤、安定化剤、光吸収および散乱材料、および物性調節用添加物（例えば硬膜剤、塗布助剤、可塑剤、滑剤、および艶消し剤）のような各種添加剤が、例えば、セクションＩＩおよびＶＩ〜ＶＩＩＩに記載されている。カラー材料は、セクションＸ〜ＸＩＩＩに記載されている。カプラーと色素を結合させるための適切な方法が、有機溶媒の分散物も含めて、セクションＸ（Ｅ）に記載されている。走査の促進がセクションＸＩＶに記載されている。支持体、露光、現像システム、および処理方法と処理剤がセクションＸＶ〜ＸＸに記載されている。上記に引用されたリサーチ・ディスクロージャー、１９９４年９月、アイテム３６５４４に含まれる情報は、リサーチ・ディスクロージャー、１９９６年９月、アイテム３８９５７で更新されている。好ましい写真要素および処理段階が、カラー反射プリントとの組み合わせに有用なものも含めて、リサーチ・ディスクロージャー、１９９５年２月、アイテム３７０３８に記載されている。
【００５６】
カップリング−離脱基が当該技術分野ではよく知られている。このような基は、カプラーの化学当量、即ち、２当量であるか４当量であるかを決定できる。換言すれば、このような基は、カプラーの反応性を調整できる。このような基は、カプラーから離れた後、例えば色素形成、色素色相調整、現像の促進もしくは抑制、漂白の促進もしくは抑制、電子移動の促進、および色修正のような機能を行なうことによって、カプラーが塗布された層に、または写真記録材料中の他の層に、有利に作用する。
【００５７】
カップリング部位での水素の存在は４当量カプラーを与え、他のカップリング−離脱基の存在は通常２当量カプラーを与える。このようなカップリング−離脱基の代表的な種類は、例えばクロロ、アルコキシ、アリールオキシ、ヘテロオキシ、スルホニルオキシ、アシルオキシ、アシル、ヘテロサイクリル、スルホンアミド、メルカプトテトラゾール、ベンゾチアゾール、メルカプトプロピオン酸、ホスホニルオキシ、アリールチオ、およびアリールアゾを包含する。これらのカップリング−離脱基は、当業界では例えば米国特許第２，４５５，１６９；同第３，２２７，５５１号；同第３，４３２，５２１号；同第３，４７６，５６３号；同第３，６１７，２９１号；同第３，８８０，６６１号；同第４，０５２，２１２号および同第４，１３４，７６６号明細書および英国特許および出願公開第１，４６６，７２８号；同第１，５３１，９２７号；同第１，５３３，０３９号；同第２，００６，７５５号Ａおよび同第２，０１７，７０４号Ａ明細書に記載されている。
【００５８】
例えば酸化された発色現像主薬と反応してシアン色素を形成するカプラーのような画像色素形成カプラーが要素中に包含されていてもよい。それらは、例えば「ファルブクプラー−アイネ・リテラチャー・ウーベルジヒト（Ｆａｒｂｋｕｐｐｌｅｒ−ｅｉｎｅ　Ｌｉｔｅｒａｔｕｒｅ　Ｕｂｅｒｓｉｃｈｔ）」、第３版、アグファ・ミタイルンゲン（Ａｇｆａ　Ｍｉｔｔｅｉｌｕｎｇｅｎ）、１９６１年、ｐ．１５６−１７５、米国特許第２，３６７，５３１号；同第２，４２３，７３０号；同第２，４７４，２９３号；同第２，７７２，１６２号；同第２，８９５，８２６号；同第３，００２，８３６号；同第３，０３４，８９２号；同第３，０４１，２３６号；同第４，３３３，９９９号；同第４，７４６，６０２号；同第４，７５３，８７１号；同第４，７７０，９８８号；同第４，７７５，６１６号；同第４，８１８，６６７号；同第４，８１８，６７２号；同第４，８２２，７２９号；同第４，８３９，２６７号；同第４，８４０，８８３号；同第４，８４９，３２８号；同第４，８６５，９６１号；同第４，８７３，１８３号；同第４，８８３，７４６号；同第４，９００，６５６号；同第４，９０４，５７５号；同第４，９１６，０５１号；同第４，９２１，７８３号；同第４，９２３，７９１号；同第４，９５０，５８５号；同第４，９７１，８９８号；同第４，９９０，４３６号；同第４，９９６，１３９号；同第５，００８，１８０号；同第５，０１５，５６５号；同第５，０１１，７６５号；同第５，０１１，７６６号；同第５，０１７，４６７号；同第５，０４５，４４２号；同第５，０５１，３４７号；同第５，０６１，６１３号；同第５，０７１，７３７号；同第５，０７５，２０７号；同第５，０９１，２９７号；同第５，０９４，９３８号；同第５，１０４，７８３号；同第５，１７８，９９３号；同第５，８１３，７２９号；同第５，１８７，０５７号；同第５，１９２，６５１号；同第５，２００，３０５号；同第５，２０２，２２４号；同第５，２０６，１３０号；同第５，２０８，１４１号；同第５，２１０，０１１号；同第５，２１５，８７１号；同第５，２２３，３８６号；同第５，２２７，２８７号；同第５，２５６，５２６号；同第５，２５８，２７０号；同第５，２７２，０５１号；同第５，３０６，６１０号；同第５，３２６，６８２号；同第５，３６６，８５６号；同第５，３７８，５９６号；同第５，３８０，６３８号；同第５，３８２，５０２号；同第５，３８４，２３６号；同第５，３９７，６９１号；同第５，４１５，９９０号；同第５，４３４，０３４号；同第５，４４１，８６３号；欧州特許第０２４６６１６号；同第０２５０２０１号；同第０２７１３２３号；同第０２９５６３２号；同第０３０７９２７号；同第０３３３１８５号；同第０３７８８９８号；同第０３８９８１７号；同第０４８７１１１号；同第０４８８２４８号；同第０５３９０３４号；同第０５４５３００号；同第０５５６７００号；同第０５５６７７７号；同第０５５６８５８号；同第０５６９９７９号；同第０６０８１３３号；同第０６３６９３６号；同第０６５１２８６号；同第０６９０３４４号；ドイツ国特許出願公開第４，０２６，９０３号；同第３，６２４，７７７号および同第３，８２３，０４９号明細書のような代表的な特許および刊行物に記載されている。典型的には、このようなカプラーはフェノール類、ナフトール類、またはピラゾロアゾール類である。
【００５９】
酸化された発色現像主薬と反応してマゼンタ色素を形成するカプラーは、例えば「ファルブクプラー−アイネ・リテラチャー・ウーベルジヒト（Ｆａｒｂｋｕｐｐｌｅｒ−ｅｉｎｅ　Ｌｉｔｅｒａｔｕｒｅ　Ｕｂｅｒｓｉｃｈｔ）」、第３版、アグファ・ミタイルンゲン（Ａｇｆａ　Ｍｉｔｔｅｉｌｕｎｇｅｎ）、１９６１年、ｐ．１２６−１５６、米国特許第２，３１１，０８２号；同第２，３６９，４８９号；同第２，３４３，７０１号；同第２，６００，７８８号；同第２，９０８，５７３号；同第３，０６２，６５３号；同第３，１５２，８９６号；同第３，５１９，４２９号；同第３，７５８，３０９号；同第３，９３５，０１５号；同第４，５４０，６５４号；同第４，７４５，０５２号；同第４，７６２，７７５号；同第４，７９１，０５２号；同第４，８１２，５７６号；同第４，８３５，０９４号；同第４，８４０，８７７号；同第４，８４５，０２２号；同第４，８５３，３１９号；同第４，８６８，０９９号；同第４，８６５，９６０号；同第４，８７１，６５２号；同第４，８７６，１８２号；同第４，８９２，８０５号；同第４，９００，６５７号；同第４，９１０，１２４号；同第４，９１４，０１３号；同第４，９２１，９６８号；同第４，９２９，５４０号；同第４，９３３，４６５号；同第４，９４２，１１６号；同第４，９４２，１１７号；同第４，９４２，１１８号；同第４，９５９，８４０号；同第４，９６８，５９４号；同第４，９８８，６１４号；同第４，９９２，３６１号；同第５，００２，８６４号；同第５，０２１，３２５号；同第５，０６６，５７５号；同第５，０６８，１７１号；同第５，０７１，７３９号；同第５，１００，７７２号；同第５，１１０，９４２号；同第５，１１６，９９０号；同第５，１１８，８１２号；同第５，１３４，０５９号；同第５，１５５，０１６号；同第５，１８３，７２８号；同第５，２３４，８０５号；同第５，２３５，０５８号；同第５，２５０，４００号；同第５，２５４，４４６号；同第５，２６２，２９２号；同第５，３００，４０７号；同第５，３０２，４９６号；同第５，３３６，５９３号；同第５，３５０，６６７号；同第５，３９５，９６８号；同第５，３５４，８２６号；同第５，３５８，８２９号；同第５，３６８，９９８号；同第５，３７８，５８７号；同第５，４０９，８０８号；同第５，４１１，８４１号；同第５，４１８，１２３号；同第５，４２４，１７９号；欧州特許第０２５７８５４号；同第０２８４２４０号；同第０３４１２０４号；同第０３４７２３５号；同第０３６５２５２号；同第０４２２５９５号；同第０２４８８９９号；同第０４２８９０２号；同第０４５９３３１号；同第０４６７３２７号；同第０４７６９４９号；同第０４８７０８１号；同第０４８９３３３号；同第０５１２３０４号；同第０５１５１２８号；同第０５３４７０３号；同第０５５４７７８号；同第０５５８１４５号；同第０５７１９５９号；同第０５８３８３２号；同第０５８３８３４号；同第０５８４７９３号；同第０６０２７４８号；同第０６０２７４９号；同第０６０５９１８号；同第０６２２６７２号；同第０６２２６７３号；同第０６２９９１２号；同第０６４６８４１号；同第０６５６５６１号；同第０６６０１７７号；同第０６８６８７２号；国際特許出願公開第９０／１０２５３号；同第９２／０９０１０号；同第９２／１０７８８号；同第９２／１２４６４号；同第９３／０１５２３号；同第９３／０２３９２号；同第９３／０２３９３号；同第ＷＯ９３／０７５３４号；英国特許出願公開第２，２４４，０５３号；特開平０３−１９２３５０号公報；ドイツ国特許出願公開第３，６２４，１０３号；同第３，９１２，２６５号；および同第４，００８，０６７号明細書のような代表的な特許および刊行物に記載されている。典型的には、このようなカプラーは、酸化されたカラー現像試薬と反応してマゼンタ色素を形成するピラゾロン類、ピラゾロアゾール類、またはピラゾロベンズイミダゾール類である。
【００６０】
酸化された発色現像主薬と反応してイエロー色素を形成するカプラーは、例えば「ファルブクプラー−アイネ・リテラチャー・ウーベルジヒト（Ｆａｒｂｋｕｐｐｌｅｒ−ｅｉｎｅ　Ｌｉｔｅｒａｔｕｒｅ　Ｕｂｅｒｓｉｃｈｔ）」、第３版、アグファ・ミタイルンゲン（Ａｇｆａ　Ｍｉｔｔｅｉｌｕｎｇｅｎ）、１９６１年、ｐ．１１２−１２６、米国特許第２，２９８，４４３号；同第２，４０７，２１０号；同第２，８７５，０５７号；同第３，０４８，１９４号；同第３，２６５，５０６号；同第３，４４７，９２８号；同第４，０２２，６２０号；同第４，４４３，５３６号；同第４，７５８，５０１号；同第４，７９１，０５０号；同第４，８２４，７７１号；同第４，８２４，７７３号；同第４，８５５，２２２号；同第４，９７８，６０５号；同第４，９９２，３６０号；同第４，９９４，３６１号；同第５，０２１，３３３号；同第５，０５３，３２５号；同第５，０６６，５７４号；同第５，０６６，５７６号；同第５，１００，７７３号；同第５，１１８，５９９号；同第５，１４３，８２３号；同第５，１８７，０５５号；同第５，１９０，８４８号；同第５，２１３，９５８号；同第５，２１５，８７７号；同第５，２１５，８７８号；同第５，２１７，８５７号；同第５，２１９，７１６号；同第５，２３８，８０３号；同第５，２８３，１６６号；同第５，２９４，５３１号；同第５，３０６，６０９号；同第５，３２８，８１８号；同第５，３３６，５９１号；同第５，３３８，６５４号；同第５，３５８，８３５号；同第５，３５８，８３８号；同第５，３６０，７１３号；同第５，３６２，６１７号；同第５，３８２，５０６号；同第５，３８９，５０４号；同第５，３９９，４７４号；同第５，４０５，７３７号；同第５，４１１，８４８号；同第５，４２７，８９８号；欧州特許第０３２７９７６号；同第０２９６７９３号；同第０３６５２８２号；同第０３７９３０９号；同第０４１５３７５号；同第０４３７８１８号；同第０４４７９６９号；同第０５４２４６３号；同第０５６８０３７号；同第０５６８１９６号；同第０５６８７７７号；同第０５７０００６号；同第０５７３７６１号；同第０６０８９５６号；同第０６０８９５７号；および同第０２６８８６５号明細書のような代表的な特許および刊行物に記載されている。このようなカプラーは典型的には開鎖ケトメチレン化合物類である。
【００６１】
酸化された発色現像主薬と反応して無色の生成物を形成するカプラーは、例えば英国特許第８６１，１３８号、米国特許第３，６３２，３４５号；同第３，９２８，０４１号；同第３，９５８，９９３号および同第３，９６１，９５９号明細書のような代表的特許に記載されている。典型的には、このようなカプラーは、酸化された発色現像主薬と反応して無色の生成物を形成する環状カルボニル含有化合物類である。
【００６２】
酸化された発色現像主薬と反応してブラック色素を形成するカプラーは、例えば米国特許第１，９３９，２３１号；同第２，１８１，９４４号；同第２，３３３，１０６号；同第４，１２６，４６１号；ドイツ国特許出願公開第２，６４４，１９４号；同第２，６５０，７６４号明細書のような代表的特許に記載されている。典型的には、このようなカプラーは、酸化された発色現像主薬と反応してブラックまたは中性の生成物を形成するレゾルシノール類またはｍ−アミノフェノール類である。
【００６３】
上記のものに加えて、いわゆる「ユニバーサル」または「ウォッシュアウト」カプラーが使用されてもよい。これらのカプラーは画像色素形成には寄与しない。従って、例えば、無置換または２−もしくは３−位が低分子量置換基で置換されたカルバモイルを有するナフトールを用いることができる。このタイプのカプラーは例えば米国特許第５，０２６，６２８号；同第５，１５１，３４３号および同第５，２３４，８００号明細書に記載されている。
【００６４】
例えば米国特許第４，３０１，２３５；同第４，８５３，３１９号および同第４，３５１，８９７号明細書に記載されたような公知のバラスト基またはカップリング−脱離基を含むことができるカプラーの組み合わせを使用することが有用である場合がある。カプラーは例えば米国特許第４，４８２，６２９号明細書に記載されているような可溶化基を含んでいてもよい。カプラーは、また、擬カラードカプラーと共に用いられてもよいし（例えばインターレイヤー補正のレベルを調整するために）、カラーネガの用途では、例えば欧州特許第２１３，４９０号；日本公開特許第５８−１７２６４７号；米国特許第２，９８３，６０８号；同第４，０７０，１９１号；同第４，２７３，８６１号；ドイツ国特許第２，７０６，１１７号；同第２，６４３，９６５号；英国特許第１，５３０，２７２号；および日本公開特許第５８−１１３９３５号明細書に記載されているようなマスキングカプラーと共に用いられてもよい。必要であれば、マスキングカプラーはシフトされていてもよく、またはブロックされていてもよい。
【００６５】
一般的に、カプラーは、ハロゲン化銀乳剤層中に、銀に対して０．０５〜１．０のモル比で、通常０．１〜０．５のモル比で混入される。通常、カプラーは高沸点有機溶媒中に０．１〜１０．０、典型的には０．１〜２．０のカプラーに対する溶媒の質量比で分散される。しかし、永久性のカプラー溶媒を用いない分散体も時には使用される。
【００６６】
本発明は、画質を改良するために、処理工程例えば漂白または定着を促進するか、そうでなければ改良する写真に有用な基（ＰＵＧ）［Ｐｈｏｔｏｇｒａｐｈｉｃａｌｌｙ　Ｕｓｅｆｕｌ　Ｇｒｏｕｐｓ］を放出する材料と共に用いることができる。例えば欧州特許第１９３，３８９号および同第３０１，４７７号明細書および米国特許第４，１６３，６６９号；同第４，８６５，９５６号および同第４，９２３，７８４号明細書に記載されたような漂白促進剤放出カプラーが有用となることができる。核生成試薬、現像促進剤またはそれらの前駆体（英国特許第２，０９７，１４０号および同第２，１３１，１８８号明細書参照）、電子移動試薬（米国特許第４，８５９，５７８号および同第４，９１２，０２５号明細書参照）、例えばハイドロキノン類の誘導体、アミノフェノール類、アミン類、没食子酸、カテコール、アスコルビン酸、ヒドラジド類、スルホンアミドフェノール類のようなカブリ防止および混色防止試薬、および非色形成カプラーと共に使用することも考慮される。
【００６７】
本発明は、また、コロイド状銀ゾルまたはイエロー、シアンおよび／またはマゼンタフィルター色素を水中油滴型分散体、ラテックス分散体または固体粒子分散体として含有するフィルター色素層と組み合わせて用いることができる。さらに、それらは、スメアリングカプラー（例えば米国特許第４，３６６，２３７号；同第４，４２０，５５６号および同第４，５４３，３２３号明細書および欧州特許第９６，５７０号明細書に記載されているような）と共に用いられてもよい。また、本発明の有用な材料は、例えば日本公開特許公報６１−２５８２４９号または米国特許第５，０１９，４９２号明細書に記載されているように保護された形にブロックされるかまたは塗布されてもよい。
【００６８】
本発明は、更に、例えば現像抑制剤放出化合物（ＤＩＲ）のようなＰＵＧを放出する画像緩和化合物と組み合わせて用いられてもよい。本発明との組み合わせにおいて有用なＤＩＲは当該技術分野で公知であり、その具体例は米国特許第３，１３７，５７８号；同第３，１４８，０２２号；同第３，１４８，０６２号；同第３，２２７，５５４号；同第３，３８４，６５７号；同第３，３７９，５２９号；同第３，６１６，５０６号；同第３，６１７，２９１号；同第３，６２０，７４６号；同第３，７０１，７８３号；同第３，７３３，２０１号；同第４，０４９，４５５号；同第４，０９５，９８４号；同第４，１２６，４５９号；同第４，１４９，８８６号；同第４，１５０，２２８号；同第４，２１１，５６２号；同第４，２４８，９６２号；同第４，２５９，４３７号；同第４，３６２，８７８号；同第４，４０９，３２３号；同第４，４７７，５６３号；同第４，７８２，０１２号；同第４，９６２，０１８号；同第４，５００，６３４号；同第４，５７９，８１６号；同第４，６０７，００４号；同第４，６１８，５７１号；同第４，６７８，７３９号；同第４，７４６，６００号；同第４，７４６，６０１号；同第４，７９１，０４９号；同第４，８５７，４４７号；同第４，８６５，９５９号；同第４，８８０，３４２号；同第４，８８６，７３６号；同第４，９３７，１７９号；同第４，９４６，７６７号；同第４，９４８，７１６号；同第４，９５２，４８５号；同第４，９５６，２６９号；同第４，９５９，２９９号；同第４，９６６，８３５号；同第４，９８５，３３６号；英国特許第１，５６０，２４０号；同第２，００７，６６２号；同第２，０３２，９１４号；同第２，０９９，１６７号；ドイツ国特許第２，８４２，０６３号；同第２，９３７，１２７号；同第３，６３６，８２４号；同第３，６４４，４１６号；欧州特許第２７２，５７３号；同第３３５，３１９号；同第３３６，４１１号；同第３４６，８９９号；同第３６２，８７０号；同第３６５，２５２号；同第３６５，３４６号；同第３７３，３８２号；同第３７６，２１２号；同第３７７，４６３号；同第３７８，２３６号；同第３８４，６７０号；同第３９６，４８６号；同第４０１，６１２号および同第４０１，６１３号明細書に記載されている。
【００６９】
このような化合物は、また、シー・アール・バー（Ｃ．Ｒ．Ｂａｒｒ）、ジェイ・アール・サートル（Ｊ．Ｒ．Ｔｈｅｒｔｌｅ）およびピー・ダブリュ・ヴィトゥム（Ｐ．Ｗ．Ｖｉｔｔｕｍ）、「カラー写真のための現像抑制剤放出（ＤＩＲ）カプラー（Ｄｅｖｅｌｏｐｅｒ−Ｉｎｈｉｂｉｔｏｒ−Ｒｅｌｅａｓｉｎｇ（ＤＩＲ）　Ｃｏｕｐｌｅｒｓ　ｆｏｒ　Ｃｏｌｏｒ　Ｐｈｏｔｏｇｒａｐｈｙ）」、写真科学と工学（Ｐｈｏｔｏｇｒａｐｈｉｃ　Ｓｃｉｅｎｃｅ　ａｎｄ　Ｅｎｇｉｎｅｅｒｉｎｇ）、１９６９年、第１３巻、ｐ．１７４、に記載されている。一般に、現像抑制剤放出（ＤＩＲ）カプラーは、カプラー部分と抑制剤のカプリング−脱離部分（ＩＮ）を含んでいる。抑制剤放出カプラーは、抑制剤を遅れて放出させるタイミング部分または化学スイッチを含んでいる時間遅延タイプ（ＤＩＡＲカプラー）であってもよい。典型的な抑制剤部分の具体例は、オキサゾール類、チアゾール類、ジアゾール類、トリアゾール類、オキサジアゾール類、チアジアゾール類、オキサチアゾール類、チアトリアゾール類、ベンゾトリアゾール類、テトラゾール類、ベンゾイミダゾール類、インダゾール類、イソインダゾール類、メルカプトテトラゾール類、セレノテトラゾール類、メルカプトベンゾチアゾール類、セレノベンゾチアゾール類、メルカプトベンゾオキサゾール類、セレノベンゾオキサゾール類、メルカプトベンゾイミダゾール類、セレノベンゾイミダゾール類、ベンゾジアゾール類、メルカプトオキサゾール類、メルカプトチアジアゾール類、メルカプトチアゾール類、メルカプトトリアゾール類、メルカプトオキサジアゾール類、メルカプトジアゾール類、メルカプトオキサチアゾール類、テルロテトラゾール類またはベンゾイソジアゾール類である。好ましい態様においては、抑制剤部分または基は下式から選ばれる。
【００７０】
【化１】
2004029797.tif 000003
【００７１】
ここで、ＲＩは、炭素数１〜８の直鎖状または分岐状のアルキル基類、ベンジル基、フェニル基、およびアルコキシ基類からなるグループから選ばれ、これらの基は、１つまたはそれ以上のこのような置換基をさらに含有していてもよいし、含有していなくてもよい。ＲＩＩは、ＲＩおよび−ＳＲＩから選ばれる。ＲＩＩＩは、炭素数１〜３の直鎖状または分岐状のアルキル基である。ＲＩＶは、水素、ハロゲン、アルコキシ、フェニル、カルボンアミド、−ＣＯＯＲＶおよび−ＮＨＣＯＯＲＶ（ここで、ＲＶは、置換および無置換のアリキル基およびアリール基から選ばれる）からなる群より選ばれる。
【００７２】
現像抑制剤放出カプラーに含まれるカプラー部分は、それが存在する層で対応する画像色素を形成することが一般的であるけれども、異なった層に関連するカプラーとして異なった色を形成してもよい。現像抑制剤放出カプラーに含まれるカプラー部分が無色の生成物および／または処理中に写真材料を洗い流される生成物を形成することもまた有用であろう（いわゆるユニバーサルカプラー）。
【００７３】
例えばカプラーのような化合物は、処理中その化合物の反応によって直接的にＰＵＧを放出してもよいし、タイミングまたは連結基によって間接的に放出してもよい。タイミング基はＰＵＧを時間的に遅れて放出させ、このような基には分子内求核置換反応を利用するもの（米国特許第４，２４８，９６２号明細書）、共役系に沿った電子移動を利用するもの（米国特許第４，４０９，３２３号；同第４，４２１，８４５号および同第４，８６１，７０１号明細書、特開昭第５７−１８８０３５号；同第５８−９８７２８号；同第５８−２０９７３６号および同第５８−２０９７３８号明細書）、カプラー反応後カプラーまたは還元試薬として機能するもの（米国特許第４，４３８，１９３号および同第４，６１８，５７１号明細書）および上記の特徴を合わせたものがある。タイミング基は下式のものが典型的である。
【００７４】
【化２】
2004029797.tif 000004
【００７５】
ここで、ＩＮは抑制剤部分であり、ＲＶＩＩはニトロ、シアノ、アルキルスルホニル、スルファモイルおよびスルホンアミド基からなる群から選ばれ、ａは０または１であり、ＲＶＩは置換および無置換のアルキルおよびフェニル基からなる群から選ばれる。各タイミング基の酸素原子はＤＩＡＲのそれぞれのカプラー部分のカップリング−脱離位置に結合している。
【００７６】
タイミングまたは連結基は、非共役鎖の下方への電子移動によって作用してもよい。リンキング基は各種の名前で当該技術分野では公知である。それらは、しばしば、ヘミアセタールまたはイミノケタール開裂反応の利用可能な基、または例えば米国特許第４，５４６，０７３号明細書のエステル加水分解による開裂反応の利用可能な基として言及されている。この非共役鎖の下方への電子移動は、一般には、比較的速い分解と二酸化炭素、フォルムアルデヒドまたは他の低分子量副生物を生じる。これらの基は欧州特許第４６４，６１２号および同第５２３，４５１号明細書、米国特許第４，１４６，３９６号明細書、および特開昭第６０−２４９１４８号および同第６０−２４９１４９号明細書に例示されている。
【００７７】
本発明での使用に適した現像抑制剤放出カプラーは以下のものが挙げられるが、これらに限定されるものではない。
【００７８】
【化３】
2004029797.tif 000005
【００７９】
【化４】
2004029797.tif 000006
【００８０】
本発明は、ケネス・メイソン・パブリケイションズ（Ｋｅｎｎｅｔｈ　Ｍａｓｏｎ　Ｐｕｂｌｉｃａｔｉｏｎｓ，Ｌｔｄ）から利用可能なリサーチ・ディスクロージャー、１９７９年１１月、アイテム１８７１６（Ｒｅｓｅａｒｃｈ　Ｄｉｓｃｌｏｓｕｒｅ，Ｎｏｖｅｍｂｅｒ　１９７９，Ｉｔｅｍ１８７１６）、［ダドレイ・アネックス、１２ａノース・ストリート、エムスウァース、ハンプシャーＰ０１０１７ＤＱ、英国（Ｄｕｄｌｅｙ　Ａｎｎｅｘ，１２ａＮｏｒｔｈ　Ｓｔｒｅｅｔ，Ｅｍｓｗｏｒｔｈ，ＨａｍｐｓｈｉｒｅＰ０１０１７ＤＱ，ＥＮＧＬＡＮＤ）］に記載されているように、反射型材料を得るために用いられることもまた企図している。本発明において有用な材料を、米国特許第４，９１７，９９４号明細書に記載されているようなｐＨ調整された支持体上に、酸素透過性を減少させた支持体上に（欧州特許第５５３，３３９号明細書）、エポキシ溶媒と共に（欧州特許第１６４，９６１号明細書）、ニッケル錯体安定化剤と共に（例えば米国特許第４，３４６，１６５号；同第４，５４０，６５３号および同第４，９０６，５５９号明細書）、例えばカルシウムのような多価カチオンへの感受性を減少させるために米国特許第４，９９４，３５９に記載されているようなバラスト化されたキレート試薬と共に、そして米国特許第５，０６８，１７１号明細書に記載されているような汚染減少化合物と共に塗布することができる。本発明との組み合わせにおいて有用な他の化合物は、ダーウェントのアブストラクトに記載された次の受け入れ番号を有する日本公開特許公報：９０−０７２，６２９；９０−０７２，６３０；９０−０７２，６３１；９０−０７２，６３２；９０−０７２，６３３；９０−０７２，６３４；９０−０７７，８２２；９０−０７８，２２９；９０−０７８，２３０；９０−０７９，３３６；９０−０７９，３３７；９０−０７９，３３８；９０−０７９，６９０；９０−０７９，６９１；９０−０８０，４８７；９０−０８０，４８８；９０−０８０，４８９；９０−０８０，４９０；９０−０８０，４９１；９０−０８０，４９２；９０−０８０，４９４；９０−０８５，９２８；９０−０８６，６６９；９０−０８６，６７０；９０−０８７，３６０；９０−０８７，３６１；９０−０８７，３６２；９０−０８７，３６３；９０−０８７，３６４；９０−０８８，０９７；９０−０９３，６６２；９０−０９３，６６３；９０−０９３，６６４；９０−０９３，６６５；９０−０９３，６６６；９０−０９３，６６８；９０−０９４，０５５；９０−０９４，０５６；９０−１０３，４０９；８３−６２，５８６および８３−０９，９５９に記載されている。
【００８１】
一般的な放射線感応性ハロゲン化銀乳剤をこの発明の実施に用いることができる。このような乳剤は、リサーチ・ディスクロージャー、アイテム３８７５５、１９９６年９月、Ｉ．乳剤粒子およびその製造（Ｒｅｓｅａｒｃｈ　Ｄｉｓｃｌｏｓｕｒｅ，　Ｉｔｅｍ３８７５５，Ｓｅｐｔｅｍｂｅｒ　１９７９，Ｉ．Ｅｍｕｌｓｉｏｎ　ｇｒａｉｎｓ　ａｎｄ　ｔｈｅｉｒ　ｐｒｅｐａｒａｔｉｏｎ）によって説明されている。
【００８２】
平板状粒子ハロゲン化銀乳剤は本発明において特に有用である。平板状粒子は、２つの平行な主結晶面を有し、少なくとも２のアスペクト比を有している。用語「アスペクト比」は、粒子主面の等価円の直径（ＥＣＤ）を厚さ（ｔ）で割った比である。平板状粒子乳剤は、平板状粒子が総粒子投影面積の少なくとも５０％（好ましくは少なくとも７０％、最適には少なくとも９０％）を占めている乳剤である。好ましい平板状粒子乳剤は、平板状粒子の平均厚さが０．３μｍよりも薄い（好ましく薄いものは０．２μｍ未満、最も好ましく極めて薄いものは０．０７μｍ未満）。平板状粒子の主面は、（１１１）または（１００）結晶面に存在することができる。平板状粒子の平均ＥＣＤは、１０μｍを超えることはほとんどなく、一般には５μｍよりも小さい。
【００８３】
最も広く用いられる形態の平板状粒子乳剤は、高臭化物の（１１１）平板状粒子乳剤である。このような乳剤は、コフロン・エト・アル（Ｋｏｆｒｏｎ　ｅｔ　ａｌ）の米国特許第４，４３９，４２０号明細書、ウィルガス・エト・アル（Ｗｉｌｕｇｕｓ　ｅｔ　ａｌ）の米国特許第４，４３４，２６６号明細書、ソルバーグ・エト・アル（Ｓｏｌｂｅｒｇ　ｅｔ　ａｌ）の米国特許第４，４３３，０４８号明細書、マスカスキー（Ｍａｓｋａｓｋｙ）の米国特許第４，４３５，５０１号；同第４，４６３，０８７号および同第４，１７３，３２０号明細書、ダウベンディーク・エト・アル（Ｄａｕｂｅｎｄｉｅｋ　ｅｔ　ａｌ）の米国特許第４，４１４，３１０号および同第４，９１４，０１０号明細書、ソウィンスキー・エト・アル（Ｓｏｗｉｎｓｋｉ　ｅｔ　ａｌ）の米国特許第４，６５６，１２２号明細書、ピギン・エト・アル（Ｐｉｇｇｉｎ　ｅｔ　ａｌ）の米国特許第５，０６１，６１６号および同第５，０６１，６０９号明細書、ツァウル・エト・アル（Ｔｓａｕｒ　ｅｔ　ａｌ）の米国特許第５，１４７，７７１号；同第５，１４７，７７２号；同第５，１４７，７７１号；同第５，１７９，６５９号および同第５，２５２，４５３号明細書、ブラック・エト・アル（Ｂｌａｃｋ　ｅｔ　ａｌ）の米国特許第５，２１９，７２０号および同第５，３３４，４９５号明細書、デルトン（Ｄｅｌｔｏｎ）の米国特許第５，３１０，６４４号；同第５，３７２，９２７号および同第５，４６９，９３４号明細書、ウェン（Ｗｅｎ）の米国特許第５，４７０，６９８号明細書、フェントン・エト・アル（Ｆｅｎｔｏｎ　ｅｔ　ａｌ）の米国特許第５，４７６，７６０号明細書、エシェルマン・エト・アル（Ｅｓｈｅｌｍａｎ　ｅｔ　ａｌ）の米国特許第５，６１２，１７５号および同第５，６１４，３５９号明細書およびイルヴィング・エト・アル（Ｉｒｖｉｎｇ　ｅｔ　ａｌ）の米国特許第５，６６７，９５４号明細書によって説明されている。
【００８４】
極めて薄い高臭化物の（１１１）平板状粒子乳剤は、ダウベンディーク・エト・アル（Ｄａｕｂｅｎｄｉｅｋ　ｅｔ　ａｌ）の米国特許第４，６７２，０２７号；同第４，６９３，９６４号；同第５，４９４，７８９号；同第５，５０３，９７１号および同第５，５７６，１６８号明細書、アントニアデス・エト・アル（Ａｎｔｏｎｉａｄｅｓ　ｅｔ　ａｌ）の米国特許第５，２５０，４０３号明細書、オルム・エト・アル（Ｏｌｍ　ｅｔ　ａｌ）の米国特許第５，５０３，９７０号明細書、ディートン・エト・アル（Ｄｅａｔｏｎ　ｅｔ　ａｌ）の米国特許第５，５８２，９６５号明細書およびマスカスキー（Ｍａｓｋａｓｋｙ）の米国特許第５，６６７，９５５号明細書によって説明されている。
【００８５】
高臭化物の（１００）平板状粒子乳剤は、ミグノット（Ｍｉｇｎｏｔ）の米国特許第４，３８６，１５６号および同第５，３８６，１５６号明細書によって説明されている。
【００８６】
高塩化物の（１１１）平板状粒子乳剤は、ウェイ（Ｗｅｙ）の米国特許第４，３９９，２１５号明細書、ウェイ・エト・アル（Ｗｅｙ　ｅｔ　ａｌ）の米国特許第４，４１４，３０６号明細書、マスカスキー（Ｍａｓｋａｓｋｙ）の米国特許第４，４００，４６３号；同第４，７１３，３２３号；同第５，０６１，６１７号；同第５，１７８，９９７号；同第５，１８３，７３２号；同第５，１８５，２３９号；同第５，３９９，４７８号および同第５，４１１，８５２号明細書およびマスカスキー・エトアル（Ｍａｓｋａｓｋｙ　ｅｔ　ａｌ）の米国特許第５，１７６，９９２号および同第５，１７８，９９８号明細書に説明されている。極めて薄い高塩化物の（１１１）平板状粒子乳剤は、マスカスキー（Ｍａｓｋａｓｋｙ）の米国特許第５，２７１，８５８号および同第５，３８９，５０９号明細書によって説明されている。
【００８７】
高塩化物の（１００）平板状粒子乳剤は、マスカスキー（Ｍａｓｋａｓｋｙ）の米国特許第５，２６４，３３７号；同第５，２９２，６３２号；同第５，２７５，９３０号および同第５，３９９，４７７号明細書、ハウス・エト・アル（Ｈｏｕｓｅ　ｅｔ　ａｌ）の米国特許第５，３２０，９３８号明細書、ブラスト・エト・アル（Ｂｒｕｓｔ　ｅｔ　ａｌ）の米国特許第５，３１４，７９８号明細書、スザジェウスキー・エト・アル（Ｓｚａｊｅｗｓｋｉ　ｅｔ　ａｌ）の米国特許第５，３５６，７６４号明細書、チャング・エト・アル（Ｃｈａｎｇ　ｅｔ　ａｌ）の米国特許第５，４１３，９０４号および同第５，６６３，０４１号明細書、オヤマダ（Ｏｙａｍａｄａ）の米国特許第５，５９３，８２１号明細書、ヤマシタ・エト・アル（Ｙａｍａｓｈｉｔａ　ｅｔ　ａｌ）の米国特許第５，６４１，６２０号および同第５，６５２，０８８号明細書、サイトウ・エト・アル（Ｓａｉｔｏｕ　ｅｔ　ａｌ）の米国特許第５，６５２，０８９号明細書およびオヤマダ・エト・アル（Ｏｙａｍａｄａ　ｅｔ　ａｌ）の米国特許第５，６６５，５３０号明細書に説明されている。極めて薄い高塩化物の（１００）平板状粒子乳剤は、上記引用のハウス・エト・アル（Ｈｏｕｓｅ　ｅｔ　ａｌ）およびチャング・エト・アル（Ｃｈａｎｇ　ｅｔ　ａｌ）の教示に従って、ヨウ素の存在下の核形成によって作ることができる。
【００８８】
乳剤は、表面感応性乳剤、即ち、潜像を主としてハロゲン化銀粒子の表面に形成する乳剤であることができ、または、乳剤は内部潜像を主としてハロゲン化銀粒子の内部に形成することもできる。乳剤は、例えば表面感応性乳剤もしくはカブらせてない内部潜像形成乳剤のようなネガ型の乳剤であってもよい。また、乳剤はカブらせてない内部潜像形成タイプの直接ポジ乳剤であってもよく、現像が一定の光の露光によって行なわれるかまたは核形成試薬の存在下で行なわれる場合、それはポジ型である。後者のタイプの平板状粒子乳剤は、エヴァンス・エト・アル（Ｅｖａｎｓ　ｅｔ　ａｌ）の米国特許第４，５０４，５７０号明細書によって説明されている。
【００８９】
写真要素は、化学線、一般には可視光線に露光されて潜像を形成し、それから処理されて目に見える色素画像を形成する。目に見える色素画像を形成する処理は、現像可能ハロゲン化銀を還元して発色現像主薬を酸化するために、要素を発色現像主薬と接触させる工程を含んでいる。酸化された発色現像主薬は次にカプラーと反応して色素を生成する。必要であれば、リサーチ・ディスクロージャー（Ｒｅｓｅａｒｃｈ　Ｄｉｓｃｌｏｓｕｒｅ）ＸＶＩＩＩＢ（５）に記載されている酸化還元増幅（Ｒｅｄｏｘ　Ａｍｐｌｉｆｉｃａｔｉｏｎ）を用いることができる。
【００９０】
標準的な写真要素を本発明に用いることができるが、本発明に最も有用な要素は、直視に適した形態よりもむしろ機械読み取り形態で画像を捕捉するように設計される。この捕捉要素では、感度（低光条件に対する要素の感度）が、このような要素で十分な画像を得るために通常重要である。要素は少なくとも約ＩＳＯ２５の感度をもつべきであり、好ましくは少なくとも約ＩＳＯ１００の感度を、更に好ましくは少なくとも約ＩＳＯ４００の感度をもつべきである。カラーネガ写真要素のスピード即ち感度は、逆に、処理後のカブリより上で特定された濃度を達成させるために要求される露光量に関係する。各色記録でガンマ０．６５を有するカラーネガ要素の場合の写真感度が、米国規格協会（Ａｍｅｒｉｃａｎ　Ｎａｔｉｏｎａｌ　Ｓｔａｎｄａｒｄｓ　Ｉｎｓｔｉｔｕｔｅ）（ＡＮＳＩ）によってＡＮＳＩ規格番号（Ｓｔａｎｄａｒｄ　Ｎｕｍｂｅｒ）ｐＨ２．２７−１９８１（ＩＳＯ（ＡＳＡ　Ｓｐｅｅｄ））として特別に規定されており、そして、これはカラーフィルムの緑光感受性および最小感受性色記録ユニットの各々において最小濃度より高い０．１５の濃度にするために要求される平均露光量レベルと特に関係する。この定義は国際規格協会（Ｉｎｔｅｒｎａｔｉｏｎａｌ　Ｓｔａｎｄａｒｄｓ　Ｏｒｇａｎｉｚａｔｉｏｎ）（ＩＳＯ）のフィルム感度評価に従っている。この適用のために、カラーユニットのガンマが０．６５と異なる場合は、別に定義された方法で感度を決定する前に、ＡＳＡまたはＩＳＯ感度をガンマ対ｌｏｇＥ（露出）カーブを直線的に０．６５の値に敷衍または逆に敷衍することによって計算されたものとなる。従って、本要素は、マイクロレンズでの感度増大後、最も好ましくはＩＳＯ感度８００、１６００、更には３２００もしくはそれ以上を示すであろう。
【００９１】
本要素は各々の色記録において少なくとも３．０ｌｏｇＥの寛容度を、好ましくは４．０ｌｏｇＥの寛容度を、更に好ましくは５．０ｌｏｇＥまたはそれ以上の寛容度を有する。このような高い有効な寛容度は、各々の色記録のガンマ（即ち写真処理後の濃度対ｌｏｇＥの勾配）が０．７０よりも小さく、好ましくは０．６０よりも小さく、更に好ましくは０．５０よりも小さく、最も好ましくは０．４５よりも小さいことを指示する。さらに、層間カラー相互作用または重層効果は好ましく最小化される。この重層効果の最小化はマスキングカプラーおよびＤＩＲ化合物の量を最少化することによって達成することができる。重層効果は、色分解露光および写真処理後の個々の色記録のガンマを白色光露光後の同じ色記録のガンマで割った比として定量化することができる。各々の色記録のガンマ比は好ましくは０．８と１．２の間、更に好ましくは０．９と１．１の間、最も好ましくは０．９５と１．０５の間である。このような走査可能な感光性要素の構成、特徴および機能の定量化についての更なる詳細がソウィンスキー・エト・アル（Ｓｏｗｉｎｓｋｉ　ｅｔ　ａｌ）の米国特許第６，０２１，２７７号および同第６，１９０，８４７号明細書に開示されており、それらの開示を引用することによって本明細書の内容とする。
【００９２】
このような要素は、典型的には透明支持体上に塗布された臭ヨウ化銀乳剤であり、ブリティッシュ・ジャーナル・オブ・フォトグラフィ・アニュアル（Ｂｒｉｔｉｓｈ　Ｊｏｕｒｎａｌ　ｏｆ　Ｐｈｏｔｏｇｒａｐｈｙ　Ａｎｎｕａｌ）、１９８８年、ｐ．１９１−１９８に記載されているコダック（Ｋｏｄａｋ）Ｃ−４１プロセスのような公知のカラーネガ処理で処理する説明と共パッケージにして売られる。カラーネガフィルム要素が引き続いて映画の場合のように目に見える映写プリントを作るために用いられる場合は、イーストマン・コダック社（Ｅａｓｔｍａｎ　Ｋｏｄａｋ　Ｃｏ．）のＨ−２４マニュアルに記載されているコダック（Ｋｏｄａｋ）ＥＣＮ−２プロセスのような処理を用いて、透明支持体上にカラーネガ画像を提供することができる。カラーネガ現像時間は３分１５秒もしくはそれ以下であり、望ましくは９０秒、さらには６０秒もしくはそれ以下である。
【００９３】
好ましい発色現像主薬は、例えば４−アミノ−Ｎ，Ｎ−ジエチルアニリン塩酸塩、４−アミノ−３−メチルＮ，Ｎ−ジエチルアニリン塩酸塩、４−アミノ−３−メチル−Ｎ−エチル−Ｎ−（２−メタンスルホンアミドエチル）アニリンセスキスルフェイト水和物、４−アミノ−３−メチル−Ｎ−エチル−Ｎ−（２−ヒドロキシエチル）アニリン硫酸塩、４−アミノ−３−（２−メタンスルホンアミドエチル）−Ｎ，Ｎ−ジエチルアニリン塩酸塩、および４−アミノ−Ｎ−エチル−Ｎ−（２−メトキシエチル）−ｍ−トルイジンジ−ｐ−トルエンスルホン酸のようなｐ−フェニレンジアミン類である。
【００９４】
現像の後には、漂白、定着、または漂白定着（銀またはハロゲン化銀を除去する）、洗浄、および乾燥の一般的な工程が通常続く。
【００９５】
さらに、急速で便利な写真処理を提供する能力が、簡単写真仕上げ用に設計されたフィルムを用いることによって大きく促進される。乾式処理フィルムがこのようなフィルムである。ある態様では、乾式フィルムは、支持体上のバインダー中に混入された現像剤を有し、非拡散性色素からなる区別できる機械読み取り可能な画像を加熱によって形成することができる感光性ハロゲン化銀フィルムとして特徴づけることができる。他の態様では、乾式処理フィルムは、非拡散性色素からなる区別できる機械読み取り可能な画像を処理溶媒をほとんどまた全く用いずにラミネート層を用いて形成することができる感光性ハロゲン化銀フィルムとして特徴づけることができ、ここで乾式処理フィルムまたはラミネート層は混入された現像剤を有する。更に他の態様では、乾式処理フィルムは、非拡散性色素からなる区別できる機械読み取り可能な画像を、限られた量の処理溶媒中で現像剤を適用することによって形成することができる感光性ハロゲン化銀フィルムとして特徴づけることができる。乾式処理フィルム、写真処理および写真プロセッサーは当該技術分野でよく知られている。これらのいずれも有用に用いることができる。特に好適な乾式処理フィルムおよび好適な構成要素が、イルヴィング・エト・アル（Ｉｒｖｉｎｇ　ｅｔ　ａｌ）の米国特許第６，２４２，１６６号明細書、スザジェウスキー・エト・アル（Ｓｚａｊｅｗｓｋｉ　ｅｔ　ａｌ）の米国特許第６，０４８，１１０号明細書、イシカワ・エト・アル（Ｉｓｈｉｋａｗａ　ｅｔ　ａｌ）の米国特許第５，７５６，２６９号および同第５，８５８，６２９号明細書、イシカワ（Ｉｓｈｉｋａｗａ）の米国特許第６，０２２，６７３号明細書、キクチ（Ｋｉｋｕｃｈｉ）の米国特許第５，８８８，７０４号および同第５，９６５，３３２号明細書、オカワ・エト・アル（Ｏｋａｗａ　ｅｔ　ａｌ）の米国特許第５，８５１，７４９号明細書、タケウチ（Ｔａｋｅｕｃｈｉ）の米国特許第５，８５１，７４５号明細書、マクタ・エト・アル（Ｍａｋｕｔａ　ｅｔ　ａｌ）の米国特許第５，８５１，７４９号明細書、モリタ・エト・アル（Ｍｏｒｉｔａ　ｅｔ　ａｌ）の米国特許第５，８７４，２０３号明細書、アサミ・エト・アル（Ａｓａｍｉ　ｅｔａｌ）の米国特許第５，９４５，２６４号明細書、コスギ・エト・アル（Ｋｏｓｕｇｉｅｔ　ａｌ）の米国特許第５，９７６，７７１号明細書およびオーカワ・エト・アル（Ｏｈｋａｗａ　ｅｔ　ａｌ）の米国特許第６，０５１，３５９号明細書に記載されている。
【００９６】
本発明のフィルムを、カメラに簡単に装填するために、シート状またはスプールされた状態で提供することができる。これは典型的には、流延されたフィルムを適当な巾に切り、そのフィルムを適当な長さに切断し、適当な機械搬送を可能ならしめるためにフィルムの端にミシン目を入れ、製造の一部として情報を提供する機械的、磁気的または露光マークを入れ、そしてフィルムをスプール上に巻き取ることによって達成される。スプールは最低限、フィルムを支持するためのコアを有する。スプールは加えて他の技術分野で知られた構造を有していてもよい。本発明の写真要素は、繰り返し使用される露光構造に組み入れられてもよいし、例えば使い切りカメラ、レンズ付きフィルムまたは感光材料パッケージユニットという名前によって各種呼ばれている限定使用の露光構造に組み入れられてもよい。
【００９７】
カメラレンズ、マイクロレンズおよび感光性層の特別な空間配列が本発明には要求されるので、像様露光および像様露光されたフィルムの写真処理では、フィルム要素のカメラへの装填および巻き取り方向に注意が払われなければならない。本発明に従う一体型感光性ユニットのマイクロレンズ、感光性層および柔軟性支持体構成要素が、感光性層に関してマイクロレンズと支持体との間に配列されている場合（タイプＡ）、この一体型感光性ユニットをスプールに巻いて、任意選択的にカートリッジやカセットにマウントすることができ、またはそうでない場合、普通のカメラ、写真処理ユニットおよびスキャナー、光学プリンター等に完全に適合するように、マイクロレンズ側に関して内側にスプールに巻くことができる。しかし、本明細書に記載されている要素のように、本発明に従う一体型感光性ユニットのマイクロレンズ、感光性層および柔軟性支持体構成要素が、支持体に関してマイクロレンズと感光性層との間に配列されている場合（タイプＢ）、一体型感光性ユニットをスプールに巻いて、任意選択的にカートリッジやカセットにマウントすることができ、またはそうでない場合、普通のカメラ、写真処理ユニットおよびスキャナーのための別個の補助的な要件と共に、マイクロレンズ側に関して内側または外側に巻くことができる。タイプＢの一体型感光性ユニットが、一体型マイクロレンズが内側に向くようにスプールに巻かれる場合、スプールに巻かれたユニットを普通に構成されたカメラ本体に装填して、像様に露光することができる。しかし、写真処理、スキャニングおよび光学プリントは、感光性層への写真処理試薬の接近を容易にし、普通に設計された写真処理、スキャニングまたはプリントユニットでのスキャニングまたはプリント中に適切な光学機器および場面方向を確保するように、一体型フィルムを逆に向かい合わせる、即ち１８０度ねじることによって、容易にされる。別法として、写真処理、スキャニングまたはプリントユニットを、これら逆に巻かれたスプールを受け入れるように再設計してもよい。タイプＢの一体型感光性ユニットが、一体型マイクロレンズが外側に向くようにスプールに巻かれている場合、スプールに巻かれたユニットは再構成されたカメラ本体に装填され、像様に露光される。カメラ本体は、カメラレンズからの光が感光性層に到達する前にマイクロレンズを通過するように再構成される。ここでは、写真処理、スキャニングまたは光学プリントは普通のとおり行なわれる。
【００９８】
スキャニング工程は、フィルムスキャナーを用いて、一般的な方法であればどのような方法で行なってもよい。一つの好ましい態様では、画像は、各色記録用に分離されたスキャニングビームを生成するために、分割して青色、緑色および赤色のフィルターに通した単一のスキャニングビームの青、緑および赤光内で連続的に走査される。他の色がフィルム中に像様に存在する場合は、他の適切に着色された光線を用いることができる。別法として、単色形成材料を用いる場合は、その材料はそのようなものとして走査して、処理することができる。都合上、次の考察はカラー形成材料の処理に焦点を合わせている。ある態様においては、赤、緑および青光を用いて、像様に記録された情報を回収し、フィルムを更に非画像欠陥の場所を記録するために赤外線で走査する。このような欠陥または「ノイズ」走査を用いる場合、この欠陥に対応する信号を用いて、ソフトまたはハードの複製方式の中でその欠陥を目立たなくさせるかまたは完全に見えなくさせるようにソフトウェア補正を提供することができる。
【００９９】
他の態様では、形成された画像を、赤外線での走査も選択的に含めて、透過型および反射型走査を組み合わせることによって複数回走査し、得られたファイルを初期画像の単ファイル表示を作るために結合する。
【０１００】
未露光写真材料の一部に露光された１つまたはそれ以上のパッチ領域に由来する補正用パッチを有する要素を有用に用いることができる。
【０１０１】
スキャニングを分割された画像の空間ピッチよりも粗い空間ピッチで行なうことができ、それによって分割された画像を粗くサンプリングする。他の態様では、スキャニングを分割された画像の空間ピッチよりも細かい空間ピッチで行なうことができ、それによって分割された画像を細かくサンプリングする。更に別の態様では、分割された画像の空間ピッチに匹敵する空間ピッチで行なうことができ、それによってその分割された画像を記録する。
【０１０２】
ドットまたはドット間領域からの画像情報の回収に先立って、色データの正確性を確保するためにスキャニング後に画像データを処理してもよい。開示された信号変換技法を、スザジェウスキー・エト・アル（Ｓｚａｊｅｗｓｋｉ　ｅｔ　ａｌ）の欧州特許第１１６４７７８号および同第１１８２８５８号明細書に記載されているように、消費者によって選ばれた外観を組み込んだ画像を提供するように更に改変してもよい。これら欧州特許公報の開示は引用することによって本明細書の内容とする。マトリックスおよびルックアップテーブル（ＬＵＴ）が有用な画像変換を供給することができる。
【０１０３】
一つの変形では、スキャナーからのＲ、ＧおよびＢ画像伝送信号を、一つの参照画像記録装置または媒体に由来するものに相当する画像計量法に変換する。全ての入力媒体における測量値は、その三色値（その参照装置または媒体によって形成され、入力媒体がその場面を捕捉したのと同じ条件下でオリジナルの場面を捕捉しているとする）に相当する。別の変形では、参照画像記録媒体を特定のカラーネガフィルムとなるように選択し、そして中間の画像データ測量を、その参照フィルムの予め決められたＲ’、Ｇ’およびＢ’中間濃度となるように選択すると、その場合、本発明に従う入力カラーネガフィルムの場合、スキャナーからのＲ、ＧおよびＢ画像伝送信号を、画像のそれら等（その参照カラーネガフィルムによって形成されて、実際のカラーネガ記録材料が露光されたのと同じ条件下で露光されているとする）に対応するＲ’、Ｇ’およびＢ’中間濃度値に変換する。スキャニングの結果は、フィルムに捕捉されている画像の表示であるデジタル画像データである。
【０１０４】
画像が電子形態またはデジタル形態であるからといって、画像処理が上記の特定の操作に限定されないことは理解されよう。画像がデジタル型であると同時に、追加の画像操作を用いてもよい。この追加の画像操作は、場面バランスアルゴリズム（処理されたフィルム内の１つまたはそれ以上の領域の濃度に基づいて濃度およびカラーバランスのための修正を決定すること）、フィルムの露光不足ガンマまたは露光過度ガンマを調節するためのトーンスケール操作、コンヴォルーションまたはアンシャープマスクによる非順応的または順応的鮮鋭化、赤目減少、および非順応的または順応的粒子抑制を含むが、これらに限定されるものではない。更に、画像を、芸術的に操作し、ズームし、切り取り、そして追加の画像または当該技術分野で知られている他の操作と結合することができる。
【０１０５】
一旦、画像が修正されて追加の画像処理および操作がなされたとすると、その画像を離れた場所に電気的に伝送することができ、各種出力装置に書き込むことができる。これらの出力装置はフィルムレコーダー、プリンター、サーマルプリンター類、電子写真プリンター類、インクジェットプリンター類、ディスプレイ、ＣＤまたはＤＶＤディスク類、磁気電子信号記憶ディスク類、および当該技術分野で知られた他のタイプの記憶装置ならびにディスプレイ装置を含むが、これらに限定されない。デジタル操作以外に、デジタル画像を用いて、例えば「ウィンドウィング」および「レベリング」または当該技術分野で知られた他の操作のように、画像の物理的特性を変えることができる。更に、出力画像伝送信号は、参照出力装置に合わせて変えることができ、装置固有コード値の形体になることができ、または装置固有のコード値になるための更なる調整を必要とすることができる。このような調整は、さらなるマトリックス変換もしくはルックアップテーブル変換、または指定された装置を用いてのそれらの伝送、記憶、プリント、または表示の如何なる工程に対しても出力画像伝送信号を適切に準備するこのような変換の組み合わせによって達成することができる。
【０１０６】
本発明の各態様は、固定または可変の焦点距離もしくは口径のマイクロレンズ、および必要に応じて処理中に変化するまたは変化しないレンズ、ならびにマイクロレンズのＦナンバーに対するカメラレンズのＦナンバーの比が１．４よりも大きいカメラ組み合わせ体を含む。
【０１０７】
この明細書中で引用された特許および他の刊行物の全ての内容は引用することによって本明細書の内容とする。
【０１０８】
本発明の追加の態様を以下に示す。
１．画像捕捉、その後機械読み取りして、単一のパースペクティブ二次元カラー画像を作るのに適した感光性写真要素であって、該要素は次の両面支持体を含んでなる。
【０１０９】
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する画像の単一のパースペクティブの画像光を該乳剤層ユニットのより小さな領域上に集中させるに十分な大きさおよび位置を有する収束性のマイクロレンズアレイを有している。
２．マイクロレンズを構成する材料が、マイクロレンズの形状が写真処理によって変化されないように選ばれる上記態様１記載の要素。
３．該支持体の面積に対する該マイクロレンズの投影面積の比が０．３よりも大きく且つ０．９５よりも小さい上記態様１または２記載の要素。
４．画像捕捉、その後の機械読み取りに適した感光性写真要素であって、該要素は次の両面支持体を含んでなる。
【０１１０】
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する、カメラの焦点が合わされた画像光を乳剤層ユニットのより小さな領域上に集中させるに十分な大きさおよび位置を有する完全なまたは部分的な球形状を有するレンズを含むマイクロレンズアレイを有している。
５．該支持体の面積に対する該マイクロレンズの投影面積の比が０．３よりも大きく且つ０．９５よりも小さい上記態様４記載の要素。
６．少なくともＩＳＯ−２５の感度を示し、捕捉、その後の機械読み取りに適した感光性写真要素であって、該要素は、（ａ）支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして（ｂ）該支持体の反対の側に配置された、マイクロレンズの一つの領域に入射する画像光を乳剤層ユニットのより小さな領域上に集中させるに十分な大きさおよび位置を有する収束性のマイクロレンズアレイを有している、両面支持体を含んでなり、それによって、該アレイを有しない同じフィルムに比較して該フィルムの感度が増加されている。
７．カメラと、画像捕捉の後機械読み取りして、単一のパースペクティブ二次元カラー画像を作るのに適した感光性写真要素との組み合わせ体であって、
（Ａ）該カメラは、単一のパースペクティブ画像を捕捉するためのレンズ系を有しており、
（Ｂ）該要素は、次の両面支持体を含んでなる。
【０１１１】
（ａ）該支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして
（ｂ）該支持体の反対の側に配置された、マイクロレンズの一つの領域に入射する該レンズ系からの画像光を該乳剤層ユニットのより小さな領域上に集中させるに十分な大きさおよび位置を有する収束性のマイクロレンズアレイを有している。
８．少なくともＩＳＯ−２５の感度を示し、捕捉、その後の機械読み取りに適した感光性写真要素であって、該要素は、（ａ）支持体の一方の側に配置された赤感光性ハロゲン化銀乳剤層ユニット、緑感光性ハロゲン化銀乳剤層ユニットおよび青感光性ハロゲン化銀乳剤層ユニットを有しており、そして（ｂ）該支持体の反対の側に配置された、マイクロレンズの一つの領域に入射する画像光を乳剤層ユニットのより小さな領域上に集中させるに十分な大きさおよび位置を有する収束性のマイクロレンズアレイを有している、両面支持体を含んでなり、それによって、該アレイを有しない同じフィルムに比較して該フィルムの寛容度が少なくとも０．３０ｌｏｇＥだけ増加されている。
９．上記態様１記載の要素があらかじめ装填されている単一レンズカメラ。
１０．カメラと、画像捕捉の後機械読み取りして、単一のパースペクティブ二次元カラー画像を作るのに適した感光性写真要素との組み合わせ体であって、
（Ａ）該カメラは、単一のパースペクティブ画像を補足するためのレンズ系を有しており、
（Ｂ）該要素は、次の両面支持体を含んでなる。
【０１１２】
（ａ）該支持体の一方の側に配置された感応性ハロゲン化銀乳剤層ユニットを有しており、そして
（ｂ）該支持体の反対の側に配置された、マイクロレンズの一つの領域に入射する該レンズ系からの画像光を該乳剤層ユニットのより小さな領域上に集中させるに十分な大きさおよび位置を有する収束性のマイクロレンズアレイを有している。
【図面の簡単な説明】
【図１】本発明の感光性写真要素を用いたカメラにおける露光を模式的に示した図である。
【図２】球面および非球面のマイクロレンズアレイの側面図である。
【図３】幾何学的および非対照的マイクロレンズパターンの正面図である。
【図４】支持体上のマイクロレンズと該支持体の反対側に配列した感光性ハロゲン化銀層を示した本発明の一態様を示す図である。
【図５】支持体上のマイクロレンズと該支持体の反対側に配列した感光性ハロゲン化銀層を示した本発明の別の態様を示す図である。
【符号の説明】
１０１…カメラ撮影レンズ
１０３…感光性要素
１０５…マイクロレンズアレイ
１０７…マイクロレンズ
２０１…支持体
２０３…球形部マイクロレンズ
２０５…支持体
２０７…非球形部マイクロレンズ
２０９…支持体
２１１…非球形部マイクロレンズ
３０１…六角形最密配列
３０３…正方形最密配列
４０１…支持体
４０３…マイクロレンズ
４０７…青感光性層ユニット
４０９…中間層
４１１…緑感光性層ユニット
４１３…中間層
４１５…赤感光性層ユニット
４１７…ハレーション防止保護層
５０１…感光性要素
５０３…マイクロレンズアレイ
５０５…最高感度青感光性層
５０７…中間層
５０９…最高感度緑感光性層
５１１…中間層
５１３…最高感度赤感光性層
５１５…中間層
５１７…低感度青感光性層
５１９…最低感度青感光性層
５２１…中間層
５２３…高感度緑感光性層
５２５…低感度緑感光性層
５２７…最低感度緑感光性層
５２９…中間層
５３１…高感度赤感光性層
５３３…低感度赤感光性層
５３５…最低感度赤感光性層
５３７…紫外線層
５３９…保護層
【図１】
2004029797.tif 000007
【図２】
2004029797.tif 000008
【図３】
2004029797.tif 000009
【図４】
2004029797.tif 000010
【図５】
2004029797.tif 000011